(57)【特許請求の範囲】
【請求項１】
ディジタル・コンテンツを配信するサーバと、該サーバとネットワークを介して接続されたユーザ端末と、該ユーザ端末と該サーバとに該ネットワークを介して接続された販売店側サーバとを有するディジタル・コンテンツ利用システムであって、前記サーバはディジタル・コンテンツを記録したディジタル・コンテンツ記録部と接続され、前記ユーザ端末は配信されたディジタル・コンテンツの利用を行う利用部を有し、前記販売店側サーバはディジタル・コンテンツの宣伝情報を記録した宣伝情報記録部と接続されており、
前記サーバは、
ディジタル・コンテンツを識別するディジタル・コンテンツ識別子を生成し、ディジタル・コンテンツの識別名毎に該ディジタル・コンテンツ識別子をディジタル・コンテンツ識別子記録部に記録するディジタル・コンテンツ識別子生成手段と、
ディジタル・コンテンツの販売店を識別する販売店識別子を生成し、該販売店の識別名毎に該販売店識別子を販売店識別子記録部に記録する手段と、
前記宣伝情報記録部に記録され、前記販売店側サーバから送信されたディジタル・コンテンツの識別名、該ディジタル・コンテンツの販売店の識別名および該ディジタル・コンテンツの宣伝データを含む販売店の宣伝情報中のディジタル・コンテンツの識別名と販売店の識別名とに基づいて、各々、ディジタル・コンテンツ識別子を前記ディジタル・コンテンツ識別子記録部から取得し、販売店識別子を前記販売店識別子記録部から取得し、取得したディジタル・コンテンツ識別子および販売店識別子と該宣伝情報中の宣伝データと該宣伝情報が送信された送信日付とを含む販売店毎の独自情報を販売店独自情報記録部に記録する独自情報生成手段と、
前記利用部から送信されたディジタル・コンテンツの識別名に基づいて、ディジタル・コンテンツ識別子を前記ディジタル・コンテンツ識別子記録部から取得し、前記利用部から送信された該ディジタル・コンテンツの販売店の識別名に基づいて、販売店識別子を前記販売店識別子記録部から取得する識別子取得手段と、
前記利用部から送信された該利用部を識別する利用部識別子と前記識別子取得手段により取得されたディジタル・コンテンツ識別子とに基づいて、ディジタル・コンテンツの所定の部分を除いて暗号を生成する暗号化手段と、
前記暗号化手段による暗号化に先立ちまたは暗号化の後に、前記利用部から送信された利用部識別子、前記識別子取得手段により取得されたディジタル・コンテンツ識別子および販売店識別子のディジタル・コンテンツへの埋込みを行う識別子埋め込み手段と、
前記暗号化手段による暗号化と前記識別子埋め込み手段による識別子の埋め込みとが行われたディジタル・コンテンツを前記利用部へ配信するディジタル・コンテンツ配信手段と、
前記ディジタル・コンテンツ配信手段によりディジタル・コンテンツを配信された利用部へ、該ディジタル・コンテンツに埋め込まれたディジタル・コンテンツ識別子と販売店識別子とに対応する、前記販売店独自情報記録部に記録された販売店毎の独自情報を配信する独自情報配信手段と、
前記利用部からディジタル・コンテンツの購入申込み情報と該ディジタル・コンテンツとを少なくとも含む情報を受信した場合、該ディジタル・コンテンツに埋め込まれた販売店識別子を取出し、前記利用部からディジタル・コンテンツの購入申込み情報とディジタル・コンテンツの識別名と販売店の識別名とを少なくとも含む情報を受信した場合、該販売店の識別名に基づいて販売店識別子を前記販売店識別子記録部から取得し、前記暗号化手段により生成された暗号の復号化に用いる鍵を含む鍵情報を該利用部へ送信する購入処理手段と
を備え、
前記利用部は、
ユーザ端末の識別子に基づいて前記利用部を識別する利用部識別子を生成する利用部識別子生成手段と、
前記販売店側サーバから送信されたディジタル・コンテンツの識別名、該ディジタル・コンテンツの販売店の識別名および前記利用部識別子生成手段により生成された利用部識別子を含む要求情報を前記サーバへ送信するディジタル・コンテンツ要求手段と、
前記ディジタル・コンテンツ配信手段により配信されたディジタル・コンテンツ中で暗号化から除かれた所定の部分を該ディジタル・コンテンツの形態に応じて利用する試行利用手段と、
前記試行利用手段により利用されたディジタル・コンテンツの購入申込み情報と該ディジタル・コンテンツとを少なくとも含む情報、または該ディジタル・コンテンツの購入申込み情報と該ディジタル・コンテンツの識別名と販売店の識別名とを少なくとも含む情報を前記サーバへ送信する手段と、
前記ディジタル・コンテンツ配信手段により配信されたディジタル・コンテンツ中で暗号化された部分の復号化を、前記購入処理手段により送信された鍵情報に基づいて行う復号化手段と、
前記復号化手段による復号化に先立ちまたは復号化の後に、ディジタル・コンテンツに埋め込まれたディジタル・コンテンツ識別子および利用部識別子の取出しを行う識別子取出し手段と、
前記識別子取出し手段により取り出された利用部識別子と前記利用部識別子生成手段により生成された利用部識別子とが同一である場合、ディジタル・コンテンツの利用を認証する認証手段と、
前記認証手段により利用が認証されたディジタル・コンテンツを該ディジタル・コンテンツの形態に応じて利用する形態利用手段と、
前記独自情報配信手段により配信された独自情報中の宣伝データを、前記試行利用手段または前記形態利用手段によるディジタル・コンテンツの利用と共に表示する宣伝データ表示手段と、
前記形態利用手段により利用しているディジタル・コンテンツに対応するディジタル・コンテンツ識別子および販売店識別子と、利用部識別子と、前記独自情報配信手段により配信された独自情報中の送信日付とを含む現利用情報を前記サーバへ送信する現利用情報送信手段と
を備え、
前記販売店側サーバは、
前記宣伝情報記録部に記録された販売店の宣伝情報を前記サーバへ送信する宣伝情報送信手段を備えており、
前記独自情報生成手段は、前記独自情報配信手段による独自情報の配信の後に、前記販売店側サーバから新たな宣伝情報の送信があった場合、新たな宣伝情報中のディジタル・コンテンツの識別名と販売店の識別名とに基づいて、各々、ディジタル・コンテンツ識別子を前記ディジタル・コンテンツ識別子記録部から取得し、販売店識別子を前記販売店識別子記録部から取得し、取得したディジタル・コンテンツ識別子および販売店識別子と該新たな宣伝情報中の宣伝データと該新たな宣伝情報が送信された送信日付とを含む販売店毎の新たな独自情報を販売店独自情報記録部に記録するものであり、
前記独自情報配信手段は、前記利用部から送信された現利用情報中の送信日付と、該現利用情報中の販売店識別子およびディジタル・コンテンツ識別子に対応する前記販売店独自情報記録部に記録された独自情報中の送信日付とを比較し、該現利用情報中の送信日付が該独自情報中の送信日付より古い日付である場合、該独自情報を該現利用情報中の利用部識別子に対応する利用部へ配信し、
前記宣伝データ表示手段は、前記独自情報配信手段により配信された新たな独自情報中の宣伝データを、前記形態利用手段におけるディジタル・コンテンツの利用と共に更新して表示することを特徴とするディジタル・コンテンツ利用システム。
【請求項２】
請求項１記載のディジタル・コンテンツ利用システムにおいて、前記現利用情報送信手段は、前記形態利用手段によるディジタル・コンテンツの利用が開始された際に、該ディジタル・コンテンツに対応する現利用情報を前記サーバへ送信し、前記形態利用手段によるディジタル・コンテンツの利用が終了した際に、終了の通知を前記サーバへ送信することを特徴とするディジタル・コンテンツ利用システム。
【請求項３】
請求項１または２記載のディジタル・コンテンツ利用システムにおいて、前記サーバは、前記利用部および／または該利用部をユーザ端末にインストールするインストーラを、ユーザ端末から取得可能な状態に置くことを特徴とするディジタル・コンテンツ利用システム。
【請求項４】
配信されたディジタル・コンテンツの利用を行う利用部を有するユーザ端末とネットワークを介して接続され、ディジタル・コンテンツの販売店側サーバと該ネットワークを介して接続され、該ユーザ端末へディジタル・コンテンツを配信するサーバであって、該サーバはディジタル・コンテンツを記録したディジタル・コンテンツ記録部と接続されており、
ディジタル・コンテンツを識別するディジタル・コンテンツ識別子を生成し、ディジタル・コンテンツの識別名毎に該ディジタル・コンテンツ識別子をディジタル・コンテンツ識別子記録部に記録するディジタル・コンテンツ識別子生成手段と、
ディジタル・コンテンツの販売店を識別する販売店識別子を生成し、該販売店の識別名毎に該販売店識別子を販売店識別子記録部に記録する手段と、
前記販売店側サーバから送信された、ディジタル・コンテンツの識別名、該ディジタル・コンテンツの販売店の識別名および該ディジタル・コンテンツの宣伝データを含む販売店の宣伝情報中のディジタル・コンテンツの識別名と販売店の識別名とに基づいて、各々、ディジタル・コンテンツ識別子を前記ディジタル・コンテンツ識別子記録部から取得し、販売店識別子を前記販売店識別子記録部から取得し、取得したディジタル・コンテンツ識別子および販売店識別子と該宣伝情報中の宣伝データと該宣伝情報が送信された送信日付とを含む販売店毎の独自情報を販売店独自情報記録部に記録する独自情報生成手段と、
前記利用部から送信されたディジタル・コンテンツの識別名に基づいて、ディジタル・コンテンツ識別子を前記ディジタル・コンテンツ識別子記録部から取得し、前記利用部から送信された該ディジタル・コンテンツの販売店の識別名に基づいて、販売店識別子を前記販売店識別子記録部から取得する識別子取得手段と、
前記利用部から送信された該利用部を識別する利用部識別子と前記識別子取得手段により取得されたディジタル・コンテンツ識別子とに基づいて、ディジタル・コンテンツの所定の部分を除いて暗号を生成する暗号化手段と、
前記暗号化手段による暗号化に先立ちまたは暗号化の後に、前記利用部から送信された利用部識別子、前記識別子取得手段により取得されたディジタル・コンテンツ識別子および販売店識別子のディジタル・コンテンツへの埋込みを行う識別子埋め込み手段と、
前記暗号化手段による暗号化と前記識別子埋め込み手段による識別子の埋め込みとが行われたディジタル・コンテンツを前記利用部へ配信するディジタル・コンテンツ配信手段と、
前記ディジタル・コンテンツ配信手段によりディジタル・コンテンツを配信された利用部へ、該ディジタル・コンテンツに埋め込まれたディジタル・コンテンツ識別子と販売店識別子とに対応する、前記販売店独自情報記録部に記録された販売店毎の独自情報を配信する独自情報配信手段と、
前記利用部からディジタル・コンテンツの購入申込み情報と該ディジタル・コンテンツとを少なくとも含む情報を受信した場合、該ディジタル・コンテンツに埋め込まれた販売店識別子を取出し、前記利用部からディジタル・コンテンツの購入申込み情報とディジタル・コンテンツの識別名と販売店の識別名とを少なくとも含む情報を受信した場合、該販売店の識別名に基づいて販売店識別子を前記販売店識別子記録部から取得し、前記暗号化手段により生成された暗号の復号化に用いる鍵を含む鍵情報を該利用部へ送信する購入処理手段と
を備え、
前記独自情報生成手段は、前記独自情報配信手段による独自情報の配信の後に、前記販売店側サーバから新たな宣伝情報の送信があった場合、新たな宣伝情報中のディジタル・コンテンツの識別名と販売店の識別名とに基づいて、各々、ディジタル・コンテンツ識別子を前記ディジタル・コンテンツ識別子記録部から取得し、販売店識別子を前記販売店識別子記録部から取得し、取得したディジタル・コンテンツ識別子および販売店識別子と該新たな宣伝情報中の宣伝データと該新たな宣伝情報が送信された送信日付とを含む販売店毎の新たな独自情報を販売店独自情報記録部に記録するものであり、
前記独自情報配信手段は、前記利用部から送信された現利用情報中の送信日付と、該現利用情報中の販売店識別子およびディジタル・コンテンツ識別子に対応する前記販売店独自情報記録部に記録された独自情報中の送信日付とを比較し、該現利用情報中の送信日付が該独自情報中の送信日付より古い日付である場合、該独自情報を該現利用情報中の利用部識別子に対応する利用部へ配信することを特徴とするサーバ。
【請求項５】
請求項４記載のサーバにおいて、前記利用部および／または該利用部をユーザ端末にインストールするインストーラを、ユーザ端末から取得可能な状態に置くことを特徴とするサーバ。
【請求項６】
ディジタル・コンテンツを配信するサーバおよびディジタル・コンテンツの販売店側サーバとネットワークを介して接続されたユーザ端末であって、該ユーザ端末は配信されたディジタル・コンテンツの利用を行う利用部を有するものであり、該利用部は、
ユーザ端末の識別子に基づいて利用部識別子を生成する利用部識別子生成手段と、
前記販売店側サーバから送信されたディジタル・コンテンツの識別名、該ディジタル・コンテンツの販売店の識別名および前記利用部識別子生成手段により生成された利用部識別子を含む要求情報を前記サーバへ送信するディジタル・コンテンツ要求手段と、
前記サーバから配信されたディジタル・コンテンツ中で暗号化から除かれた所定の部分を該ディジタル・コンテンツの形態に応じて利用する試行利用手段と、
前記試行利用手段により利用されたディジタル・コンテンツの購入申込み情報と該ディジタル・コンテンツとを少なくとも含む情報、または該ディジタル・コンテンツの購入申込み情報と該ディジタル・コンテンツの識別名と販売店の識別名とを少なくとも含む情報を前記サーバへ送信する手段と、
前記サーバから配信されたディジタル・コンテンツ中で暗号化された部分の復号化を、前記サーバから送信された復号化に用いる鍵を含む鍵情報に基づいて行う復号化手段と、
前記復号化手段による復号化に先立ちまたは復号化の後に、ディジタル・コンテンツに埋め込まれたディジタル・コンテンツ識別子および利用部識別子の取出しを行う識別子取出し手段と、
前記識別子取出し手段により取り出された利用部識別子と前記利用部識別子生成手段により生成された利用部識別子とが同一である場合、ディジタル・コンテンツの利用を認証する認証手段と、
前記認証手段により利用が認証されたディジタル・コンテンツを該ディジタル・コンテンツの形態に応じて利用する形態利用手段と、
前記形態利用手段によるディジタル・コンテンツの利用と共に、前記サーバから配信された販売店毎の独自情報であって、該独自情報はディジタル・コンテンツ識別子と、販売店識別子と、ディジタル・コンテンツの宣伝データと該宣伝データが前記販売店側サーバから前記サーバへ送信された送信日付とを含むものである独自情報の中の宣伝データを表示する宣伝データ表示手段と、
前記形態利用手段により利用しているディジタル・コンテンツに対応するディジタル・コンテンツ識別子および販売店識別子と、利用部識別子と、前記独自情報中の送信日付とを含む現利用情報を前記サーバへ送信する現利用情報送信手段とを備えたことを特徴とするユーザ端末。
【請求項７】
請求項６記載のユーザ端末において、前記現利用情報送信手段は、前記形態利用手段によるディジタル・コンテンツの利用が開始された際に、該ディジタル・コンテンツに対応する現利用情報を前記サーバへ送信し、前記形態利用手段によるディジタル・コンテンツの利用が終了した際に、終了の通知を前記サーバへ送信することを特徴とするユーザ端末。
【請求項８】
ディジタル・コンテンツを配信するサーバと、該サーバとネットワークを介して接続されたユーザ端末と、該ユーザ端末と該サーバとに該ネットワークを介して接続された販売店側サーバとを用いるディジタル・コンテンツ利用方法であって、前記サーバはディジタル・コンテンツを記録したディジタル・コンテンツ記録部と接続され、前記ユーザ端末は配信されたディジタル・コンテンツの利用を行う利用部を有し、前記販売店側サーバはディジタル・コンテンツの宣伝情報を記録した宣伝情報記録部と接続されており、該ディジタル・コンテンツ利用方法は、
ディジタル・コンテンツを識別するディジタル・コンテンツ識別子を生成し、ディジタル・コンテンツの識別名毎に該ディジタル・コンテンツ識別子を前記サーバ側のディジタル・コンテンツ識別子記録部に記録するディジタル・コンテンツ識別子生成ステップと、
ディジタル・コンテンツの販売店を識別する販売店識別子を生成し、該販売店の識別名毎に該販売店識別子を前記サーバ側の販売店識別子記録部に記録するステップと、
ユーザ端末の識別子に基づいて前記利用部を識別する利用部識別子を生成する利用部識別子生成ステップと、
ディジタル・コンテンツの識別名、該ディジタル・コンテンツの販売店の識別名および前記宣伝情報記録部に記録された該ディジタル・コンテンツの宣伝データを含む販売店の宣伝情報を前記販売店側サーバから前記サーバへ送信する宣伝情報送信ステップと、
前記宣伝情報送信ステップで前記サーバへ送信された宣伝情報中のディジタル・コンテンツの識別名と販売店の識別名とに基づいて、各々、ディジタル・コンテンツ識別子を前記ディジタル・コンテンツ識別子記録部から取得し、販売店識別子を前記販売店識別子記録部から取得し、取得したディジタル・コンテンツ識別子および販売店識別子と該宣伝情報中の宣伝データと該宣伝情報が送信された送信日付とを含む販売店毎の独自情報を販売店独自情報記録部に記録する独自情報記録ステップと、
ディジタル・コンテンツの識別名と販売店の識別名とを含む情報を前記販売店側サーバから取得し、該ディジタル・コンテンツの識別名、該ディジタル・コンテンツの販売店の識別名および前記利用部識別子生成ステップで生成された利用部識別子を含む要求情報を前記利用部から前記サーバへ送信するディジタル・コンテンツ要求ステップと、
前記ディジタル・コンテンツ要求ステップで前記サーバへ送信されたディジタル・コンテンツの識別名に基づいて、ディジタル・コンテンツ識別子を前記ディジタル・コンテンツ識別子記録部から取得し、前記ディジタル・コンテンツ要求ステップで前記サーバへ送信された該ディジタル・コンテンツの販売店の識別名に基づいて、販売店識別子を前記販売店識別子記録部から取得する識別子取得ステップと、
前記ディジタル・コンテンツ要求ステップで前記サーバへ送信された利用部識別子と前記識別子取得ステップで取得されたディジタル・コンテンツ識別子とに基づいて、ディジタル・コンテンツの所定の部分を除いて暗号を生成する暗号化ステップと、
前記暗号化ステップによる暗号化に先立ちまたは暗号化の後に、前記利用部から送信された該利用部を識別する利用部識別子、前記識別子取得ステップで取得されたディジタル・コンテンツ識別子および販売店識別子のディジタル・コンテンツへの埋込みを行う識別子埋め込みステップと、
前記暗号化ステップによる暗号化と前記識別子埋め込みステップによる識別子の埋め込みとが行われたディジタル・コンテンツを前記サーバから前記利用部へ配信するディジタル・コンテンツ配信ステップと、
前記配信ステップでディジタル・コンテンツを配信された利用部へ、該ディジタル・コンテンツに埋め込まれたディジタル・コンテンツ識別子と販売店識別子とに対応する、前記販売店独自情報記録部に記録された販売店毎の独自情報を配信する独自情報配信ステップと、
前記ディジタル・コンテンツ配信ステップで前記利用部へ配信されたディジタル・コンテンツ中で暗号化から除かれた所定の部分を該ディジタル・コンテンツの形態に応じて利用する試行利用ステップと、
前記独自情報配信ステップで前記利用部へ配信された独自情報中の宣伝データを、前記試行利用ステップにおけるディジタル・コンテンツの利用と共に表示する試行中の宣伝データ表示ステップと、
前記試行利用ステップで利用されたディジタル・コンテンツの購入申込み情報と該ディジタル・コンテンツとを少なくとも含む情報、または該ディジタル・コンテンツの購入申込み情報と該ディジタル・コンテンツの識別名と販売店の識別名とを少なくとも含む情報を前記サーバへ送信するステップと、
前記サーバが前記利用部からディジタル・コンテンツの購入申込み情報と該ディジタル・コンテンツとを少なくとも含む情報を受信した場合、該ディジタル・コンテンツに埋め込まれた販売店識別子を取出し、前記サーバが前記利用部からディジタル・コンテンツの購入申込み情報とディジタル・コンテンツの識別名と販売店の識別名とを少なくとも含む情報を受信した場合、該販売店の識別名に基づいて販売店識別子を前記販売店識別子記録部から取得し、前記暗号化ステップにより生成された暗号の復号化に用いる鍵を含む鍵情報を該利用部へ送信する購入処理ステップと、
前記ディジタル・コンテンツ配信ステップで前記利用部へ配信されたディジタル・コンテンツ中で暗号化された部分の復号化を、前記購入処理ステップで送信された鍵情報に基づいて行う復号化ステップと、
前記復号化ステップによる復号化に先立ちまたは復号化の後に、ディジタル・コンテンツに埋め込まれたディジタル・コンテンツ識別子および利用部識別子の取出しを行う識別子取出しステップと、
前記識別子取出しステップで取り出された利用部識別子と前記利用部識別子生成ステップで生成された利用部識別子とが同一である場合、ディジタル・コンテンツの利用を認証する認証ステップと、
前記認証ステップで利用が認証されたディジタル・コンテンツを該ディジタル・コンテンツの形態に応じて利用する形態利用ステップと、
前記独自情報配信ステップで前記利用部へ配信された独自情報中の宣伝データを、前記形態利用ステップにおけるディジタル・コンテンツの利用と共に表示する宣伝データ表示ステップと、
前記形態利用ステップで利用しているディジタル・コンテンツに対応するディジタル・コンテンツ識別子および販売店識別子と、利用部識別子と、前記独自情報配信ステップで前記利用部へ配信された独自情報中の送信日付とを含む現利用情報を前記サーバへ送信する現利用情報送信ステップと
を備え、
前記独自情報配信ステップの後に、前記販売店側サーバから前記サーバへ新たな宣伝情報の配信があった場合、新たな宣伝情報中のディジタル・コンテンツの識別名と販売店の識別名とに基づいて、各々、ディジタル・コンテンツ識別子を前記ディジタル・コンテンツ識別子記録部から取得し、販売店識別子を前記販売店識別子記録部から取得し、取得したディジタル・コンテンツ識別子および販売店識別子と該新たな宣伝情報中の宣伝データと該新たな宣伝情報が送信された送信日付とを含む販売店毎の新たな独自情報を販売店独自情報記録部に記録するものであり、
前記現利用情報送信ステップで送信された現利用情報中の送信日付と、該現利用情報中の販売店識別子およびディジタル・コンテンツ識別子に対応する前記販売店独自情報記録部に記録された独自情報中の送信日付とを比較し、該現利用情報中の送信日付が該独自情報中の送信日付より古い日付である場合、該独自情報を前記サーバから該現利用情報中の利用部識別子に対応する利用部へ配信し、
前記利用部へ配信された新たな独自情報中の宣伝データを、ディジタル・コンテンツの利用と共に更新して表示することを特徴とするディジタル・コンテンツ利用方法。
【請求項９】
配信されたディジタル・コンテンツの利用を行う利用部を有するユーザ端末およびディジタル・コンテンツの販売店側サーバとネットワークを介して接続されたサーバ・コンピュータから、該ユーザ端末へディジタル・コンテンツを配信するプログラムであって、該サーバ・コンピュータはディジタル・コンテンツを記録したディジタル・コンテンツ記録部と接続されており、該サーバ・コンピュータを、
ディジタル・コンテンツを識別するディジタル・コンテンツ識別子を生成し、ディジタル・コンテンツの識別名毎に該ディジタル・コンテンツ識別子をディジタル・コンテンツ識別子記録部に記録するディジタル・コンテンツ識別子生成手段、
ディジタル・コンテンツの販売店を識別する販売店識別子を生成し、該販売店の識別名毎に該販売店識別子を販売店識別子記録部に記録する手段、
前記販売店側サーバから送信された、ディジタル・コンテンツの識別名、該ディジタル・コンテンツの販売店の識別名および該ディジタル・コンテンツの宣伝データを含む販売店の宣伝情報中のディジタル・コンテンツの識別名と販売店の識別名とに基づいて、各々、ディジタル・コンテンツ識別子を前記ディジタル・コンテンツ識別子記録部から取得し、販売店識別子を前記販売店識別子記録部から取得し、取得したディジタル・コンテンツ識別子および販売店識別子と該宣伝情報中の宣伝データと該宣伝情報が送信された送信日付とを含む販売店毎の独自情報を販売店独自情報記録部に記録する独自情報生成手段、
前記利用部から送信されたディジタル・コンテンツの識別名に基づいて、ディジタル・コンテンツ識別子を前記ディジタル・コンテンツ識別子記録部から取得し、前記利用部から送信された該ディジタル・コンテンツの販売店の識別名に基づいて、販売店識別子を前記販売店識別子記録部から取得する識別子取得手段、
前記利用部から送信された該利用部を識別する利用部識別子と前記識別子取得手段により取得されたディジタル・コンテンツ識別子とに基づいて、ディジタル・コンテンツの所定の部分を除いて暗号を生成する暗号化手段、
前記暗号化手段による暗号化に先立ちまたは暗号化の後に、前記利用部から送信された利用部識別子、前記識別子取得手段により取得されたディジタル・コンテンツ識別子および販売店識別子のディジタル・コンテンツへの埋込みを行う識別子埋め込み手段、
前記暗号化手段による暗号化と前記識別子埋め込み手段による識別子の埋め込みとが行われたディジタル・コンテンツを前記利用部へ配信するディジタル・コンテンツ配信手段、
前記ディジタル・コンテンツ配信手段によりディジタル・コンテンツを配信された利用部へ、該ディジタル・コンテンツに埋め込まれたディジタル・コンテンツ識別子と販売店識別子とに対応する、前記販売店独自情報記録部に記録された販売店毎の独自情報を配信する独自情報配信手段、
前記利用部からディジタル・コンテンツの購入申込み情報と該ディジタル・コンテンツとを少なくとも含む情報を受信した場合、該ディジタル・コンテンツに埋め込まれた販売店識別子を取出し、前記利用部からディジタル・コンテンツの購入申込み情報とディジタル・コンテンツの識別名と販売店の識別名とを少なくとも含む情報を受信した場合、該販売店の識別名に基づいて販売店識別子を前記販売店識別子記録部から取得し、前記暗号化手段により生成された暗号の復号化に用いる鍵を含む鍵情報を該利用部へ送信する購入処理手段
として機能させるためのプログラムであって、
前記独自情報生成手段は、前記独自情報配信手段による独自情報の配信の後に、前記販売店側サーバから新たな宣伝情報の送信があった場合、新たな宣伝情報中のディジタル・コンテンツの識別名と販売店の識別名とに基づいて、各々、ディジタル・コンテンツ識別子を前記ディジタル・コンテンツ識別子記録部から取得し、販売店識別子を前記販売店識別子記録部から取得し、取得したディジタル・コンテンツ識別子および販売店識別子と該新たな宣伝情報中の宣伝データと該新たな宣伝情報が送信された送信日付とを含む販売店毎の新たな独自情報を販売店独自情報記録部に記録するものであり、
前記独自情報配信手段は、前記利用部から送信された現利用情報中の送信日付と、該現利用情報中の販売店識別子およびディジタル・コンテンツ識別子に対応する前記販売店独自情報記録部に記録された独自情報中の送信日付とを比較し、該現利用情報中の送信日付が該独自情報中の送信日付より古い日付である場合、該独自情報を該現利用情報中の利用部識別子に対応する利用部へ配信することを特徴とするプログラム。
【請求項１０】
ディジタル・コンテンツを配信するサーバおよびディジタル・コンテンツの販売店側サーバとネットワークを介して接続されたユーザ端末コンピュータで、該サーバから配信されたディジタル・コンテンツを利用する利用部のプログラムであって、該ユーザ端末コンピュータを、
ユーザ端末コンピュータの識別子に基づいて利用部識別子を生成する利用部識別子生成手段、
前記販売店側サーバから送信されたディジタル・コンテンツの識別名、該ディジタル・コンテンツの販売店の識別名および前記利用部識別子生成手段により生成された利用部識別子を含む要求情報を前記サーバへ送信するディジタル・コンテンツ要求手段、
前記サーバから配信されたディジタル・コンテンツ中で暗号化から除かれた所定の部分を該ディジタル・コンテンツの形態に応じて利用する試行利用手段、
前記試行利用手段により利用されたディジタル・コンテンツの購入申込み情報と該ディジタル・コンテンツとを少なくとも含む情報、または該ディジタル・コンテンツの購入申込み情報と該ディジタル・コンテンツの識別名と販売店の識別名とを少なくとも含む情報を前記サーバへ送信する手段、
前記サーバから配信されたディジタル・コンテンツ中で暗号化された部分の復号化を、前記サーバから送信された復号化に用いる鍵を含む鍵情報に基づいて行う復号化手段、
前記復号化手段による復号化に先立ちまたは復号化の後に、ディジタル・コンテンツに埋め込まれたディジタル・コンテンツ識別子および利用部識別子の取出しを行う識別子取出し手段、
前記識別子取出し手段により取り出された利用部識別子と前記利用部識別子生成手段により生成された利用部識別子とが同一である場合、ディジタル・コンテンツの利用を認証する認証手段、
前記認証手段により利用が認証されたディジタル・コンテンツを該ディジタル・コンテンツの形態に応じて利用する形態利用手段、
前記形態利用手段によるディジタル・コンテンツの利用と共に、前記サーバから配信された販売店毎の独自情報であって、該独自情報はディジタル・コンテンツ識別子と、販売店識別子と、ディジタル・コンテンツの宣伝データと該宣伝データが前記販売店側サーバから前記サーバへ送信された送信日付とを含むものである独自情報の中の宣伝データを表示する宣伝データ表示手段、
前記形態利用手段により利用しているディジタル・コンテンツに対応するディジタル・コンテンツ識別子および販売店識別子と、利用部識別子と、前記独自情報中の送信日付とを含む現利用情報を前記サーバへ送信する現利用情報送信手段として機能させるためのプログラム。
【請求項１１】
請求項１０記載のプログラムにおいて、前記現利用情報送信手段は、前記形態利用手段によるディジタル・コンテンツの利用が開始された際に、該ディジタル・コンテンツに対応する現利用情報を前記サーバへ送信し、前記形態利用手段によるディジタル・コンテンツの利用が終了した際に、終了の通知を前記サーバへ送信することを特徴とするプログラム。
【請求項１２】
請求項９ないし１１のいずれかに記載のプログラムを記録したコンピュータ読取り可能な記録媒体。
【発明の詳細な説明】
【０００１】
【発明の属する技術分野】
本発明は、ディジタル・コンテンツ利用システムおよび方法等に関し、特に、ディジタル・コンテンツを配信するサーバ、該サーバとネットワークを介して接続されたユーザ端末およびディジタル・コンテンツの販売店側サーバを用いたディジタル・コンテンツ利用システムおよび方法等に関する。
【０００２】
【従来の技術】
ディジタル・コンテンツ、例えば、ディジタル・コンテンツとして電子化された書籍（以下、「電子書籍」という）の販売店が電子書籍をユーザに販売した場合、販売後の宣伝活動等のため、一般にユーザに対してユーザ登録を勧めている。一方、ユーザにとってはユーザ登録を行うことにより購入後に種々のサービスを受けることができる場合が多い。このため、ユーザ登録自体は多少煩雑な作業であっても、自ら積極的かつ明示的にユーザ登録を行うユーザも多い。ユーザ登録が行われた後に当該ユーザが別の電子書籍を購入した場合、購入履歴の管理のために、別途その電子書籍についての登録が行われている。以下では、この登録も含めて「ユーザ登録等」という。
【０００３】
近年、ディジタル・コンテンツの販売はネットワークを介して行われることが多くなり、ユーザ登録等もネットワークを介して行われるようになってきている。販売店側は、ネットワークを介して登録されたユーザの顧客管理を行い、宣伝のための情報をユーザへ配信している。
【０００４】
【発明が解決しようとする課題】
しかし、上述のようにネットワークを介してユーザ登録等が行われる場合であっても、やはりユーザは自ら積極的かつ明示的にユーザ登録等を行う必要があった。ユーザにとってユーザ登録等が煩雑な作業であるという点に変わりはないため、ユーザは電子書籍を購入した場合、必ずしもユーザ登録等を行うとは限らなかった。このため、販売店側はユーザの嗜好を正確に把握した効率的な宣伝のための情報を配信することが困難であるという問題があった。
【０００５】
電子書籍のインターネット等のネットワークを介した販売を行う場合、電子書籍の記憶、管理、ダウンロードおよび代金の決済等を行うディジタル・コンテンツ販売のための複雑なシステムが必要である。しかし、このようなシステムは維持および管理が複雑であり運営コストも相当程度要するため、例えば個人Ｗｅｂ（ウェブ）・サイト等で電子書籍の販売を行うことは困難であった。まして、ユーザの嗜好を正確に把握した効率的な宣伝のための情報を簡易に配信することは困難であるという問題があった。
【０００６】
そこで、本発明の目的は、上記問題を解決するためになされたものであり、ユーザに対して煩雑なユーザ登録等の作業を要求することなく、ユーザの嗜好を正確に把握した効率的な宣伝のための情報を配信することができるディジタル・コンテンツ利用システムおよび方法等を提供することにある。
【０００７】
本発明の別の目的は、電子書籍のインターネット等のネットワークを介した販売を行う場合、個人のウェブ・サイト等でもディジタル・コンテンツの販売を簡易に行うことができ、ユーザの嗜好を正確に把握した効率的な宣伝のための情報を簡易に配信することができるディジタル・コンテンツ利用システムおよび方法等を提供することにある。
【０００８】
【課題を解決するための手段】
この発明のディジタル・コンテンツ利用システムは、ディジタル・コンテンツを配信するサーバと、該サーバとネットワークを介して接続されたユーザ端末と、該ユーザ端末と該サーバとに該ネットワークを介して接続された販売店側サーバとを有するディジタル・コンテンツ利用システムであって、前記サーバはディジタル・コンテンツを記録したディジタル・コンテンツ記録部と接続され、前記ユーザ端末は配信されたディジタル・コンテンツの利用を行う利用部を有し、前記販売店側サーバはディジタル・コンテンツの宣伝情報を記録した宣伝情報記録部と接続されており、前記サーバは、ディジタル・コンテンツを識別するディジタル・コンテンツ識別子を生成し、ディジタル・コンテンツの識別名毎に該ディジタル・コンテンツ識別子をディジタル・コンテンツ識別子記録部に記録するディジタル・コンテンツ識別子生成手段と、ディジタル・コンテンツの販売店を識別する販売店識別子を生成し、該販売店の識別名毎に該販売店識別子を販売店識別子記録部に記録する手段と、前記宣伝情報記録部に記録され、前記販売店側サーバから送信されたディジタル・コンテンツの識別名、該ディジタル・コンテンツの販売店の識別名および該ディジタル・コンテンツの宣伝データを含む販売店の宣伝情報中のディジタル・コンテンツの識別名と販売店の識別名とに基づいて、各々、ディジタル・コンテンツ識別子を前記ディジタル・コンテンツ識別子記録部から取得し、販売店識別子を前記販売店識別子記録部から取得し、取得したディジタル・コンテンツ識別子および販売店識別子と該宣伝情報中の宣伝データと該宣伝情報が送信された送信日付とを含む販売店毎の独自情報を販売店独自情報記録部に記録する独自情報生成手段と、前記利用部から送信されたディジタル・コンテンツの識別名に基づいて、ディジタル・コンテンツ識別子を前記ディジタル・コンテンツ識別子記録部から取得し、前記利用部から送信された該ディジタル・コンテンツの販売店の識別名に基づいて、販売店識別子を前記販売店識別子記録部から取得する識別子取得手段と、前記利用部から送信された該利用部を識別する利用部識別子と前記識別子取得手段により取得されたディジタル・コンテンツ識別子とに基づいて、ディジタル・コンテンツの所定の部分を除いて暗号を生成する暗号化手段と、前記暗号化手段による暗号化に先立ちまたは暗号化の後に、前記利用部から送信された利用部識別子、前記識別子取得手段により取得されたディジタル・コンテンツ識別子および販売店識別子のディジタル・コンテンツへの埋込みを行う識別子埋め込み手段と、前記暗号化手段による暗号化と前記識別子埋め込み手段による識別子の埋め込みとが行われたディジタル・コンテンツを前記利用部へ配信するディジタル・コンテンツ配信手段と、前記ディジタル・コンテンツ配信手段によりディジタル・コンテンツを配信された利用部へ、該ディジタル・コンテンツに埋め込まれたディジタル・コンテンツ識別子と販売店識別子とに対応する、前記販売店独自情報記録部に記録された販売店毎の独自情報を配信する独自情報配信手段と、前記利用部からディジタル・コンテンツの購入申込み情報と該ディジタル・コンテンツとを少なくとも含む情報を受信した場合、該ディジタル・コンテンツに埋め込まれた販売店識別子を取出し、前記利用部からディジタル・コンテンツの購入申込み情報とディジタル・コンテンツの識別名と販売店の識別名とを少なくとも含む情報を受信した場合、該販売店の識別名に基づいて販売店識別子を前記販売店識別子記録部から取得し、前記暗号化手段により生成された暗号の復号化に用いる鍵を含む鍵情報を該利用部へ送信する購入処理手段とを備え、前記利用部は、ユーザ端末の識別子に基づいて前記利用部を識別する利用部識別子を生成する利用部識別子生成手段と、前記販売店側サーバから送信されたディジタル・コンテンツの識別名、該ディジタル・コンテンツの販売店の識別名および前記利用部識別子生成手段により生成された利用部識別子を含む要求情報を前記サーバへ送信するディジタル・コンテンツ要求手段と、前記ディジタル・コンテンツ配信手段により配信されたディジタル・コンテンツ中で暗号化から除かれた所定の部分を該ディジタル・コンテンツの形態に応じて利用する試行利用手段と、前記試行利用手段により利用されたディジタル・コンテンツの購入申込み情報と該ディジタル・コンテンツとを少なくとも含む情報、または該ディジタル・コンテンツの購入申込み情報と該ディジタル・コンテンツの識別名と販売店の識別名とを少なくとも含む情報を前記サーバへ送信する手段と、前記ディジタル・コンテンツ配信手段により配信されたディジタル・コンテンツ中で暗号化された部分の復号化を、前記購入処理手段により送信された鍵情報に基づいて行う復号化手段と、前記復号化手段による復号化に先立ちまたは復号化の後に、ディジタル・コンテンツに埋め込まれたディジタル・コンテンツ識別子および利用部識別子の取出しを行う識別子取出し手段と、前記識別子取出し手段により取り出された利用部識別子と前記利用部識別子生成手段により生成された利用部識別子とが同一である場合、ディジタル・コンテンツの利用を認証する認証手段と、前記認証手段により利用が認証されたディジタル・コンテンツを該ディジタル・コンテンツの形態に応じて利用する形態利用手段と、前記独自情報配信手段により配信された独自情報中の宣伝データを、前記試行利用手段または前記形態利用手段によるディジタル・コンテンツの利用と共に表示する宣伝データ表示手段と、前記形態利用手段により利用しているディジタル・コンテンツに対応するディジタル・コンテンツ識別子および販売店識別子と、利用部識別子と、前記独自情報配信手段により配信された独自情報中の送信日付とを含む現利用情報を前記サーバへ送信する現利用情報送信手段とを備え、前記販売店側サーバは、前記宣伝情報記録部に記録された販売店の宣伝情報を前記サーバへ送信する宣伝情報送信手段を備えており、前記独自情報生成手段は、前記独自情報配信手段による独自情報の配信の後に、前記販売店側サーバから新たな宣伝情報の送信があった場合、新たな宣伝情報中のディジタル・コンテンツの識別名と販売店の識別名とに基づいて、各々、ディジタル・コンテンツ識別子を前記ディジタル・コンテンツ識別子記録部から取得し、販売店識別子を前記販売店識別子記録部から取得し、取得したディジタル・コンテンツ識別子および販売店識別子と該新たな宣伝情報中の宣伝データと該新たな宣伝情報が送信された送信日付とを含む販売店毎の新たな独自情報を販売店独自情報記録部に記録するものであり、前記独自情報配信手段は、前記利用部から送信された現利用情報中の送信日付と、該現利用情報中の販売店識別子およびディジタル・コンテンツ識別子に対応する前記販売店独自情報記録部に記録された独自情報中の送信日付とを比較し、該現利用情報中の送信日付が該独自情報中の送信日付より古い日付である場合、該独自情報を該現利用情報中の利用部識別子に対応する利用部へ配信し、前記宣伝データ表示手段は、前記独自情報配信手段により配信された新たな独自情報中の宣伝データを、前記形態利用手段におけるディジタル・コンテンツの利用と共に更新して表示することを特徴とする。
【０００９】
ここで、この発明のディジタル・コンテンツ利用システムにおいて、前記現利用情報送信手段は、前記形態利用手段によるディジタル・コンテンツの利用が開始された際に、該ディジタル・コンテンツに対応する現利用情報を前記サーバへ送信し、前記形態利用手段によるディジタル・コンテンツの利用が終了した際に、終了の通知を前記サーバへ送信することができる。
【００１０】
ここで、この発明のディジタル・コンテンツ利用システムにおいて、前記サーバは、前記利用部および／または該利用部をユーザ端末にインストールするインストーラを、ユーザ端末から取得可能な状態に置くことができる。
【００１１】
この発明のサーバは、配信されたディジタル・コンテンツの利用を行う利用部を有するユーザ端末とネットワークを介して接続され、ディジタル・コンテンツの販売店側サーバと該ネットワークを介して接続され、該ユーザ端末へディジタル・コンテンツを配信するサーバであって、該サーバはディジタル・コンテンツを記録したディジタル・コンテンツ記録部と接続されており、ディジタル・コンテンツを識別するディジタル・コンテンツ識別子を生成し、ディジタル・コンテンツの識別名毎に該ディジタル・コンテンツ識別子をディジタル・コンテンツ識別子記録部に記録するディジタル・コンテンツ識別子生成手段と、ディジタル・コンテンツの販売店を識別する販売店識別子を生成し、該販売店の識別名毎に該販売店識別子を販売店識別子記録部に記録する手段と、前記販売店側サーバから送信された、ディジタル・コンテンツの識別名、該ディジタル・コンテンツの販売店の識別名および該ディジタル・コンテンツの宣伝データを含む販売店の宣伝情報中のディジタル・コンテンツの識別名と販売店の識別名とに基づいて、各々、ディジタル・コンテンツ識別子を前記ディジタル・コンテンツ識別子記録部から取得し、販売店識別子を前記販売店識別子記録部から取得し、取得したディジタル・コンテンツ識別子および販売店識別子と該宣伝情報中の宣伝データと該宣伝情報が送信された送信日付とを含む販売店毎の独自情報を販売店独自情報記録部に記録する独自情報生成手段と、前記利用部から送信されたディジタル・コンテンツの識別名に基づいて、ディジタル・コンテンツ識別子を前記ディジタル・コンテンツ識別子記録部から取得し、前記利用部から送信された該ディジタル・コンテンツの販売店の識別名に基づいて、販売店識別子を前記販売店識別子記録部から取得する識別子取得手段と、前記利用部から送信された該利用部を識別する利用部識別子と前記識別子取得手段により取得されたディジタル・コンテンツ識別子とに基づいて、ディジタル・コンテンツの所定の部分を除いて暗号を生成する暗号化手段と、前記暗号化手段による暗号化に先立ちまたは暗号化の後に、前記利用部から送信された利用部識別子、前記識別子取得手段により取得されたディジタル・コンテンツ識別子および販売店識別子のディジタル・コンテンツへの埋込みを行う識別子埋め込み手段と、前記暗号化手段による暗号化と前記識別子埋め込み手段による識別子の埋め込みとが行われたディジタル・コンテンツを前記利用部へ配信するディジタル・コンテンツ配信手段と、前記ディジタル・コンテンツ配信手段によりディジタル・コンテンツを配信された利用部へ、該ディジタル・コンテンツに埋め込まれたディジタル・コンテンツ識別子と販売店識別子とに対応する、前記販売店独自情報記録部に記録された販売店毎の独自情報を配信する独自情報配信手段と、前記利用部からディジタル・コンテンツの購入申込み情報と該ディジタル・コンテンツとを少なくとも含む情報を受信した場合、該ディジタル・コンテンツに埋め込まれた販売店識別子を取出し、前記利用部からディジタル・コンテンツの購入申込み情報とディジタル・コンテンツの識別名と販売店の識別名とを少なくとも含む情報を受信した場合、該販売店の識別名に基づいて販売店識別子を前記販売店識別子記録部から取得し、前記暗号化手段により生成された暗号の復号化に用いる鍵を含む鍵情報を該利用部へ送信する購入処理手段とを備え、前記独自情報生成手段は、前記独自情報配信手段による独自情報の配信の後に、前記販売店側サーバから新たな宣伝情報の送信があった場合、新たな宣伝情報中のディジタル・コンテンツの識別名と販売店の識別名とに基づいて、各々、ディジタル・コンテンツ識別子を前記ディジタル・コンテンツ識別子記録部から取得し、販売店識別子を前記販売店識別子記録部から取得し、取得したディジタル・コンテンツ識別子および販売店識別子と該新たな宣伝情報中の宣伝データと該新たな宣伝情報が送信された送信日付とを含む販売店毎の新たな独自情報を販売店独自情報記録部に記録するものであり、前記独自情報配信手段は、前記利用部から送信された現利用情報中の送信日付と、該現利用情報中の販売店識別子およびディジタル・コンテンツ識別子に対応する前記販売店独自情報記録部に記録された独自情報中の送信日付とを比較し、該現利用情報中の送信日付が該独自情報中の送信日付より古い日付である場合、該独自情報を該現利用情報中の利用部識別子に対応する利用部へ配信することを特徴とする。
【００１２】
ここで、この発明のサーバにおいて、前記利用部および／または該利用部をユーザ端末にインストールするインストーラを、ユーザ端末から取得可能な状態に置くことができる。
【００１３】
この発明のユーザ端末は、ディジタル・コンテンツを配信するサーバおよびディジタル・コンテンツの販売店側サーバとネットワークを介して接続されたユーザ端末であって、該ユーザ端末は配信されたディジタル・コンテンツの利用を行う利用部を有するものであり、該利用部は、ユーザ端末の識別子に基づいて利用部識別子を生成する利用部識別子生成手段と、前記販売店側サーバから送信されたディジタル・コンテンツの識別名、該ディジタル・コンテンツの販売店の識別名および前記利用部識別子生成手段により生成された利用部識別子を含む要求情報を前記サーバへ送信するディジタル・コンテンツ要求手段と、前記サーバから配信されたディジタル・コンテンツ中で暗号化から除かれた所定の部分を該ディジタル・コンテンツの形態に応じて利用する試行利用手段と、前記試行利用手段により利用されたディジタル・コンテンツの購入申込み情報と該ディジタル・コンテンツとを少なくとも含む情報、または該ディジタル・コンテンツの購入申込み情報と該ディジタル・コンテンツの識別名と販売店の識別名とを少なくとも含む情報を前記サーバへ送信する手段と、前記サーバから配信されたディジタル・コンテンツ中で暗号化された部分の復号化を、前記サーバから送信された復号化に用いる鍵を含む鍵情報に基づいて行う復号化手段と、前記復号化手段による復号化に先立ちまたは復号化の後に、ディジタル・コンテンツに埋め込まれたディジタル・コンテンツ識別子および利用部識別子の取出しを行う識別子取出し手段と、前記識別子取出し手段により取り出された利用部識別子と前記利用部識別子生成手段により生成された利用部識別子とが同一である場合、ディジタル・コンテンツの利用を認証する認証手段と、前記認証手段により利用が認証されたディジタル・コンテンツを該ディジタル・コンテンツの形態に応じて利用する形態利用手段と、前記形態利用手段によるディジタル・コンテンツの利用と共に、前記サーバから配信された販売店毎の独自情報であって、該独自情報はディジタル・コンテンツ識別子と、販売店識別子と、ディジタル・コンテンツの宣伝データと該宣伝データが前記販売店側サーバから前記サーバへ送信された送信日付とを含むものである独自情報の中の宣伝データを表示する宣伝データ表示手段と、前記形態利用手段により利用しているディジタル・コンテンツに対応するディジタル・コンテンツ識別子および販売店識別子と、利用部識別子と、前記独自情報中の送信日付とを含む現利用情報を前記サーバへ送信する現利用情報送信手段とを備えたことを特徴とする。
【００１４】
ここで、この発明のユーザ端末において、前記現利用情報送信手段は、前記形態利用手段によるディジタル・コンテンツの利用が開始された際に、該ディジタル・コンテンツに対応する現利用情報を前記サーバへ送信し、前記形態利用手段によるディジタル・コンテンツの利用が終了した際に、終了の通知を前記サーバへ送信することができる。
【００１５】
この発明のディジタル・コンテンツ利用方法は、ディジタル・コンテンツを配信するサーバと、該サーバとネットワークを介して接続されたユーザ端末と、該ユーザ端末と該サーバとに該ネットワークを介して接続された販売店側サーバとを用いるディジタル・コンテンツ利用方法であって、前記サーバはディジタル・コンテンツを記録したディジタル・コンテンツ記録部と接続され、前記ユーザ端末は配信されたディジタル・コンテンツの利用を行う利用部を有し、前記販売店側サーバはディジタル・コンテンツの宣伝情報を記録した宣伝情報記録部と接続されており、該ディジタル・コンテンツ利用方法は、ディジタル・コンテンツを識別するディジタル・コンテンツ識別子を生成し、ディジタル・コンテンツの識別名毎に該ディジタル・コンテンツ識別子を前記サーバ側のディジタル・コンテンツ識別子記録部に記録するディジタル・コンテンツ識別子生成ステップと、ディジタル・コンテンツの販売店を識別する販売店識別子を生成し、該販売店の識別名毎に該販売店識別子を前記サーバ側の販売店識別子記録部に記録するステップと、ユーザ端末の識別子に基づいて前記利用部を識別する利用部識別子を生成する利用部識別子生成ステップと、ディジタル・コンテンツの識別名、該ディジタル・コンテンツの販売店の識別名および前記宣伝情報記録部に記録された該ディジタル・コンテンツの宣伝データを含む販売店の宣伝情報を前記販売店側サーバから前記サーバへ送信する宣伝情報送信ステップと、前記宣伝情報送信ステップで前記サーバへ送信された宣伝情報中のディジタル・コンテンツの識別名と販売店の識別名とに基づいて、各々、ディジタル・コンテンツ識別子を前記ディジタル・コンテンツ識別子記録部から取得し、販売店識別子を前記販売店識別子記録部から取得し、取得したディジタル・コンテンツ識別子および販売店識別子と該宣伝情報中の宣伝データと該宣伝情報が送信された送信日付とを含む販売店毎の独自情報を販売店独自情報記録部に記録する独自情報記録ステップと、ディジタル・コンテンツの識別名と販売店の識別名とを含む情報を前記販売店側サーバから取得し、該ディジタル・コンテンツの識別名、該ディジタル・コンテンツの販売店の識別名および前記利用部識別子生成ステップで生成された利用部識別子を含む要求情報を前記利用部から前記サーバへ送信するディジタル・コンテンツ要求ステップと、前記ディジタル・コンテンツ要求ステップで前記サーバへ送信されたディジタル・コンテンツの識別名に基づいて、ディジタル・コンテンツ識別子を前記ディジタル・コンテンツ識別子記録部から取得し、前記ディジタル・コンテンツ要求ステップで前記サーバへ送信された該ディジタル・コンテンツの販売店の識別名に基づいて、販売店識別子を前記販売店識別子記録部から取得する識別子取得ステップと、前記ディジタル・コンテンツ要求ステップで前記サーバへ送信された利用部識別子と前記識別子取得ステップで取得されたディジタル・コンテンツ識別子とに基づいて、ディジタル・コンテンツの所定の部分を除いて暗号を生成する暗号化ステップと、前記暗号化ステップによる暗号化に先立ちまたは暗号化の後に、前記利用部から送信された該利用部を識別する利用部識別子、前記識別子取得ステップで取得されたディジタル・コンテンツ識別子および販売店識別子のディジタル・コンテンツへの埋込みを行う識別子埋め込みステップと、前記暗号化ステップによる暗号化と前記識別子埋め込みステップによる識別子の埋め込みとが行われたディジタル・コンテンツを前記サーバから前記利用部へ配信するディジタル・コンテンツ配信ステップと、前記配信ステップでディジタル・コンテンツを配信された利用部へ、該ディジタル・コンテンツに埋め込まれたディジタル・コンテンツ識別子と販売店識別子とに対応する、前記販売店独自情報記録部に記録された販売店毎の独自情報を配信する独自情報配信ステップと、前記ディジタル・コンテンツ配信ステップで前記利用部へ配信されたディジタル・コンテンツ中で暗号化から除かれた所定の部分を該ディジタル・コンテンツの形態に応じて利用する試行利用ステップと、前記独自情報配信ステップで前記利用部へ配信された独自情報中の宣伝データを、前記試行利用ステップにおけるディジタル・コンテンツの利用と共に表示する試行中の宣伝データ表示ステップと、前記試行利用ステップで利用されたディジタル・コンテンツの購入申込み情報と該ディジタル・コンテンツとを少なくとも含む情報、または該ディジタル・コンテンツの購入申込み情報と該ディジタル・コンテンツの識別名と販売店の識別名とを少なくとも含む情報を前記サーバへ送信するステップと、前記サーバが前記利用部からディジタル・コンテンツの購入申込み情報と該ディジタル・コンテンツとを少なくとも含む情報を受信した場合、該ディジタル・コンテンツに埋め込まれた販売店識別子を取出し、前記サーバが前記利用部からディジタル・コンテンツの購入申込み情報とディジタル・コンテンツの識別名と販売店の識別名とを少なくとも含む情報を受信した場合、該販売店の識別名に基づいて販売店識別子を前記販売店識別子記録部から取得し、前記暗号化ステップにより生成された暗号の復号化に用いる鍵を含む鍵情報を該利用部へ送信する購入処理ステップと、前記ディジタル・コンテンツ配信ステップで前記利用部へ配信されたディジタル・コンテンツ中で暗号化された部分の復号化を、前記購入処理ステップで送信された鍵情報に基づいて行う復号化ステップと、前記復号化ステップによる復号化に先立ちまたは復号化の後に、ディジタル・コンテンツに埋め込まれたディジタル・コンテンツ識別子および利用部識別子の取出しを行う識別子取出しステップと、前記識別子取出しステップで取り出された利用部識別子と前記利用部識別子生成ステップで生成された利用部識別子とが同一である場合、ディジタル・コンテンツの利用を認証する認証ステップと、前記認証ステップで利用が認証されたディジタル・コンテンツを該ディジタル・コンテンツの形態に応じて利用する形態利用ステップと、前記独自情報配信ステップで前記利用部へ配信された独自情報中の宣伝データを、前記形態利用ステップにおけるディジタル・コンテンツの利用と共に表示する宣伝データ表示ステップと、前記形態利用ステップで利用しているディジタル・コンテンツに対応するディジタル・コンテンツ識別子および販売店識別子と、利用部識別子と、前記独自情報配信ステップで前記利用部へ配信された独自情報中の送信日付とを含む現利用情報を前記サーバへ送信する現利用情報送信ステップとを備え、前記独自情報配信ステップの後に、前記販売店側サーバから前記サーバへ新たな宣伝情報の配信があった場合、新たな宣伝情報中のディジタル・コンテンツの識別名と販売店の識別名とに基づいて、各々、ディジタル・コンテンツ識別子を前記ディジタル・コンテンツ識別子記録部から取得し、販売店識別子を前記販売店識別子記録部から取得し、取得したディジタル・コンテンツ識別子および販売店識別子と該新たな宣伝情報中の宣伝データと該新たな宣伝情報が送信された送信日付とを含む販売店毎の新たな独自情報を販売店独自情報記録部に記録するものであり、前記現利用情報送信ステップで送信された現利用情報中の送信日付と、該現利用情報中の販売店識別子およびディジタル・コンテンツ識別子に対応する前記販売店独自情報記録部に記録された独自情報中の送信日付とを比較し、該現利用情報中の送信日付が該独自情報中の送信日付より古い日付である場合、該独自情報を前記サーバから該現利用情報中の利用部識別子に対応する利用部へ配信し、前記利用部へ配信された新たな独自情報中の宣伝データを、ディジタル・コンテンツの利用と共に更新して表示することを特徴とする。
【００１６】
この発明のプログラムは、配信されたディジタル・コンテンツの利用を行う利用部を有するユーザ端末およびディジタル・コンテンツの販売店側サーバとネットワークを介して接続されたサーバ・コンピュータから、該ユーザ端末へディジタル・コンテンツを配信するプログラムであって、該サーバ・コンピュータはディジタル・コンテンツを記録したディジタル・コンテンツ記録部と接続されており、該サーバ・コンピュータを、ディジタル・コンテンツを識別するディジタル・コンテンツ識別子を生成し、ディジタル・コンテンツの識別名毎に該ディジタル・コンテンツ識別子をディジタル・コンテンツ識別子記録部に記録するディジタル・コンテンツ識別子生成手段、ディジタル・コンテンツの販売店を識別する販売店識別子を生成し、該販売店の識別名毎に該販売店識別子を販売店識別子記録部に記録する手段、前記販売店側サーバから送信された、ディジタル・コンテンツの識別名、該ディジタル・コンテンツの販売店の識別名および該ディジタル・コンテンツの宣伝データを含む販売店の宣伝情報中のディジタル・コンテンツの識別名と販売店の識別名とに基づいて、各々、ディジタル・コンテンツ識別子を前記ディジタル・コンテンツ識別子記録部から取得し、販売店識別子を前記販売店識別子記録部から取得し、取得したディジタル・コンテンツ識別子および販売店識別子と該宣伝情報中の宣伝データと該宣伝情報が送信された送信日付とを含む販売店毎の独自情報を販売店独自情報記録部に記録する独自情報生成手段、前記利用部から送信されたディジタル・コンテンツの識別名に基づいて、ディジタル・コンテンツ識別子を前記ディジタル・コンテンツ識別子記録部から取得し、前記利用部から送信された該ディジタル・コンテンツの販売店の識別名に基づいて、販売店識別子を前記販売店識別子記録部から取得する識別子取得手段、前記利用部から送信された該利用部を識別する利用部識別子と前記識別子取得手段により取得されたディジタル・コンテンツ識別子とに基づいて、ディジタル・コンテンツの所定の部分を除いて暗号を生成する暗号化手段、前記暗号化手段による暗号化に先立ちまたは暗号化の後に、前記利用部から送信された利用部識別子、前記識別子取得手段により取得されたディジタル・コンテンツ識別子および販売店識別子のディジタル・コンテンツへの埋込みを行う識別子埋め込み手段、前記暗号化手段による暗号化と前記識別子埋め込み手段による識別子の埋め込みとが行われたディジタル・コンテンツを前記利用部へ配信するディジタル・コンテンツ配信手段、前記ディジタル・コンテンツ配信手段によりディジタル・コンテンツを配信された利用部へ、該ディジタル・コンテンツに埋め込まれたディジタル・コンテンツ識別子と販売店識別子とに対応する、前記販売店独自情報記録部に記録された販売店毎の独自情報を配信する独自情報配信手段、前記利用部からディジタル・コンテンツの購入申込み情報と該ディジタル・コンテンツとを少なくとも含む情報を受信した場合、該ディジタル・コンテンツに埋め込まれた販売店識別子を取出し、前記利用部からディジタル・コンテンツの購入申込み情報とディジタル・コンテンツの識別名と販売店の識別名とを少なくとも含む情報を受信した場合、該販売店の識別名に基づいて販売店識別子を前記販売店識別子記録部から取得し、前記暗号化手段により生成された暗号の復号化に用いる鍵を含む鍵情報を該利用部へ送信する購入処理手段として機能させるためのプログラムであって、前記独自情報生成手段は、前記独自情報配信手段による独自情報の配信の後に、前記販売店側サーバから新たな宣伝情報の送信があった場合、新たな宣伝情報中のディジタル・コンテンツの識別名と販売店の識別名とに基づいて、各々、ディジタル・コンテンツ識別子を前記ディジタル・コンテンツ識別子記録部から取得し、販売店識別子を前記販売店識別子記録部から取得し、取得したディジタル・コンテンツ識別子および販売店識別子と該新たな宣伝情報中の宣伝データと該新たな宣伝情報が送信された送信日付とを含む販売店毎の新たな独自情報を販売店独自情報記録部に記録するものであり、前記独自情報配信手段は、前記利用部から送信された現利用情報中の送信日付と、該現利用情報中の販売店識別子およびディジタル・コンテンツ識別子に対応する前記販売店独自情報記録部に記録された独自情報中の送信日付とを比較し、該現利用情報中の送信日付が該独自情報中の送信日付より古い日付である場合、該独自情報を該現利用情報中の利用部識別子に対応する利用部へ配信することを特徴とする。
【００１７】
この発明のプログラムは、ディジタル・コンテンツを配信するサーバおよびディジタル・コンテンツの販売店側サーバとネットワークを介して接続されたユーザ端末コンピュータで、該サーバから配信されたディジタル・コンテンツを利用する利用部のプログラムであって、該ユーザ端末コンピュータを、ユーザ端末コンピュータの識別子に基づいて利用部識別子を生成する利用部識別子生成手段、前記販売店側サーバから送信されたディジタル・コンテンツの識別名、該ディジタル・コンテンツの販売店の識別名および前記利用部識別子生成手段により生成された利用部識別子を含む要求情報を前記サーバへ送信するディジタル・コンテンツ要求手段、前記サーバから配信されたディジタル・コンテンツ中で暗号化から除かれた所定の部分を該ディジタル・コンテンツの形態に応じて利用する試行利用手段、前記試行利用手段により利用されたディジタル・コンテンツの購入申込み情報と該ディジタル・コンテンツとを少なくとも含む情報、または該ディジタル・コンテンツの購入申込み情報と該ディジタル・コンテンツの識別名と販売店の識別名とを少なくとも含む情報を前記サーバへ送信する手段、前記サーバから配信されたディジタル・コンテンツ中で暗号化された部分の復号化を、前記サーバから送信された復号化に用いる鍵を含む鍵情報に基づいて行う復号化手段、前記復号化手段による復号化に先立ちまたは復号化の後に、ディジタル・コンテンツに埋め込まれたディジタル・コンテンツ識別子および利用部識別子の取出しを行う識別子取出し手段、前記識別子取出し手段により取り出された利用部識別子と前記利用部識別子生成手段により生成された利用部識別子とが同一である場合、ディジタル・コンテンツの利用を認証する認証手段、前記認証手段により利用が認証されたディジタル・コンテンツを該ディジタル・コンテンツの形態に応じて利用する形態利用手段、前記形態利用手段によるディジタル・コンテンツの利用と共に、前記サーバから配信された販売店毎の独自情報であって、該独自情報はディジタル・コンテンツ識別子と、販売店識別子と、ディジタル・コンテンツの宣伝データと該宣伝データが前記販売店側サーバから前記サーバへ送信された送信日付とを含むものである独自情報の中の宣伝データを表示する宣伝データ表示手段、前記形態利用手段により利用しているディジタル・コンテンツに対応するディジタル・コンテンツ識別子および販売店識別子と、利用部識別子と、前記独自情報中の送信日付とを含む現利用情報を前記サーバへ送信する現利用情報送信手段として機能させるためのプログラムである。
【００１８】
ここで、この発明のプログラムにおいて、前記現利用情報送信手段は、前記形態利用手段によるディジタル・コンテンツの利用が開始された際に、該ディジタル・コンテンツに対応する現利用情報を前記サーバへ送信し、前記形態利用手段によるディジタル・コンテンツの利用が終了した際に、終了の通知を前記サーバへ送信することができる。
【００１９】
この発明の記録媒体は、本発明のプログラム（請求項９ないし１１のいずれかに記載のプログラム）を記録したコンピュータ読取り可能な記録媒体である。
【００２０】
【発明の実施の形態】
以下、まず本発明のディジタル・コンテンツ利用システムおよび方法等の全体概要について説明を行う。以下ではディジタル・コンテンツとして電子書籍（文字、ディジタル化された静止画像および動画像等を含む）を例に取り上げて説明するが、本発明のディジタル・コンテンツ利用システムおよび方法等が対象とするディジタル・コンテンツは電子書籍等の画像に限定されるものではなく、インターネット等のネットワークを通じてディジタル情報として提供される、例えば電子化された音楽またはソフトウェア等のマルティメディア情報について適用できることはもちろんである。以下では、説明の都合上特に明示する場合を除いて、ディジタル・コンテンツには上述の電子書籍、電子化された音楽またはソフトウェア等のマルティメディア情報を含むものとし、ディジタル・コンテンツ（Ｄｉｇｉｔａｌ  Ｃｏｎｔｅｎｔ）を「ＤＣ」と省略して記載する。ＤＣの「利用」とは例えば電子書籍の閲覧等のことを示す。
【００２１】
図１は、本発明のディジタル・コンテンツ利用システムおよび方法等の全体の概要を示す。図１中に示されるステップ番号Ｓは主に後述する実施の形態におけるフローチャート中の番号である。図１中の各ステップの処理に関しては以下に説明する一部を除き実施の形態中で説明する。図１において、符号１０５ａはＤＣの購入および利用を行うユーザＡのシステムであり、１００ａはユーザＡのユーザ端末、１２０ａはユーザ端末１００ａ内に設けられたＤＣを利用するための利用部（例えば専用のビューア）、１０７ａはユーザ端末１００ａ内に設けられたＷＷＷ（Ｗｏｒｌｄ−Ｗｉｄｅ  Ｗｅｂ）ブラウザ、１５０ａはハードディスク（ＨＤＤ）等の記憶装置である。符号１０５ｂはユーザＡのシステム１０５ａと同様な他のユーザＢのシステムであり、１００ｂはユーザＢのユーザ端末、１２０ｂはユーザ端末１００ｂ内に設けられた利用部（例えば専用のビューア）、１０７ｂはユーザ端末１００ｂ内に設けられたＷＷＷブラウザ、１５０ｂはＨＤＤ等の記憶装置である。
【００２２】
図１において、符号３００はＤＣを管理するデータセンタであり、ユーザ端末１００ａおよび１００ｂ等とインターネット等のネットワークを介して接続されている。データセンタ３００は種々のデータベースを管理するデータベース・サーバ３５０ｃを有している。このデータベース・サーバ３５０ｃにより管理されるデータベースには、ＤＣおよび利用部１２０ａ等の専用ビューアを記録した電子書籍データベース（Ｄａｔａｂａｓｅ  ：  ＤＢ）３１０ａ、ユーザＡ等の顧客情報を記録した顧客情報ＤＢ３１０ｂ、ユーザがダウンロードしたＤＣに関する情報および課金に関する情報を記録したダウンロード・課金情報ＤＢ３１０ｃ、ＤＣの販売店から送信された宣伝データ等をその送信日付と共に記録した販売店独自情報記録部等４００（後述の図２参照）を含む販売店情報ＤＢ３１０ｄ等がある。これらのデータベース３１０ａ、３１０ｂ、３１０ｃおよび３１０ｄを有するデータベース・サーバ３５０ｃは図１に示されるようにデータセンタ３００内に設置されていてもよいし、あるいはデータセンタ３００外に設置されインターネットを介してデータセンタ３００と接続されていてもよい。データベース３１０ａ、３１０ｂ、３１０ｃおよび３１０ｄ等は図１に示されるように１個の記憶装置上に設けられていてもよいし、あるいは別個の記憶装置上に設けられていてもよい。以下、データベース３１０ａ、３１０ｂ、３１０ｃおよび３１０ｄ等を総称的にＤＣ記録部３１０と呼ぶ。データセンタ３００は、他にもＤＣの暗号化等を行うアプリケーション・サーバ３５０ａ、ＤＣのダウンロード、暗号化されたＤＣの復号化に用いる鍵の配信および販売店独自情報４００の配信等を行うウェブ・サーバ３５０ｂ等を有している。以下、サーバ３５０ａ、３５０ｂおよび３５０ｃ等を総称的にサーバ３５０と呼ぶ。利用部１２０ａ等の専用ビューアはＤＣ記録部３１０内に管理されており、後述するようにユーザ端末１００ａ等からインターネットを介してダウンロードすることができる。利用部１２０ａ等はＣＤ−ＲＯＭ等の記録媒体に記録された形態でユーザ端末１００ａ等に供給できることはもちろんである。
【００２３】
図１において、符号７０５はＤＣの販売を行う販売店のシステムであり、ユーザ端末１００ａ等およびデータセンタ３００とインターネット等のネットワークを介して接続されている。販売店のシステム７０５は販売店の宣伝情報７９０等を記録した宣伝情報記録部７８０を有している。さらに販売店のシステム７０５は、データセンタ３００側へ宣伝情報記録部７８０に記録された販売店の宣伝情報７９０等を送信する販売店側サーバ７００を有している。販売店側サーバ７００は、当該販売店の識別名と販売を行っているＤＣの識別名等とを含む種々の情報を、ウェブ・サイト７４０上にユーザ端末１００ｂ等側からアクセス可能に提供している。これらの種々の情報は例えばＨＴＭＬ（Ｈｙｐｅｒ  Ｔｅｘｔ  Ｍａｒｋｕｐ  Ｌａｎｇｕａｇｅ）形式でＨＤＤ７８０に記録されており、ユーザ端末１００ｂからの要求に基づきこれらの情報はＨＴＭＬソースコードの形式でユーザ端末１００ｂ側のブラウジング機能を有する利用部１２０へ転送される（ステップＳ３４）。この結果、ユーザ端末１００ｂのユーザは上述の販売店の識別名と販売を行っているＤＣの識別名等とを含む種々の情報を得ることができる。さらに販売店側サーバ７００はネットショップ等を行うウェブ・アプリケーション７１５を有している。図１では図面の都合上、販売店のシステム７０５は１つしか示していないが、販売店のシステム７０５（販売店側サーバ７００）は複数個存在し、各々データセンタ３００側から所定のＤＣについて販売の認可を受けている。同様に図１では図面の都合上、ユーザ端末１００ｂと販売店側サーバ７００との間のアクセスのみ示しているが、ユーザ端末１００ａと販売店側サーバ７００との間でアクセスができることはもちろんである。
【００２４】
次に、ユーザがＤＣをダウンロードする方法について説明する。ユーザ端末１００ａの利用部１２０ａから直接サーバ３５０側へＤＣの識別名、販売店の識別名および利用部識別子を送信して、ＤＣのダウンロードを要求することができる。ＤＣの識別名、販売店の識別名等は、上述のように販売店のシステム７０５のウェブ・サイト７４０上にユーザ端末１００側からアクセス可能に掲載しておくことができる。ウェブ・サイト７４０の替わりに、データセンタ３００側のウェブ・サーバ３５０ｂが管理するウェブ・サイト（不図示）またはネットワークに接続された他のウェブ・サーバが管理するウェブ・サイト（不図示）上にＤＣの識別名、販売店の識別名等を掲載しておいてもよい。あるいは、ＤＣの識別名、販売店の識別名等はデータセンタ３００からユーザ端末１０５ａ等へ予め電子メールにより送信しておくこともできる。ＤＣの識別名、販売店の識別名等を通常の紙媒体の雑誌に掲載しておいてもよい。いずれの方法であっても、ＤＣのダウンロードおよび販売料金の決済、その他のＤＣの管理等はデータセンタ３００側で行うため、個人的または小規模なウェブ・サイトにおいても簡単にＤＣの宣伝および販売を行うことができる。
【００２５】
上述のＤＣの識別名はデータセンタ３００側にある電子書籍ＤＢ３１０ａにおける当該ＤＣのパス名等とすることができる。ユーザが利用部１２０ｂから購入を望むＤＣを掲載したウェブ・サイト７４０へアクセスした際に、掲載されたＤＣの購入申込みを送り（ステップＳ３００）、販売店側サーバ７００はデータセンタ３００の電子書籍ＤＢ３１０ａの対応するＤＣへ接続を切り替えるリダイレクション（ｒｅｄｉｒｅｃｔｉｏｎ）を行うことができる（ステップＳ３１０）。この後、サーバ３５０からユーザ端末１００ｂ等の利用部１２０ｂへＤＣをダウンロードさせる。サーバ３５０は、例えばＨＴＴＰ（Ｈｙｐｅｒ  Ｔｅｘｔ  Ｔｒａｎｓｆｅｒ  Ｐｒｏｔｏｃｏｌ）リクエストにおけるＧＥＴメッセージに続くリクエストヘッダに含まれるリンク元（ｒｅｆｅｒｅｒ等）を利用して、販売店側サーバ７００の販売店の識別名を得ることができる。販売店の識別名は販売店側サーバ７００のアドレスをネットワーク上で識別可能なＵＲＬ（Ｕｎｉｆｏｒｍ  Ｒｅｓｏｕｒｃｅ  Ｌｏｃａｔｏｒ）等とすることができる。以上のようにして、販売店側サーバ７００を介してＤＣの販売およびダウンロードを行うことができる。
【００２６】
図２は、本発明のディジタル・コンテンツ利用システムにおけるデータセンタ３００側のサーバ３５０等の詳細を示す。図２において、符号１００はデータセンタ３００側のサーバ３５０とインターネット等のネットワーク２００を介して接続されたユーザ端末、７００はサーバ３５０へ販売店の宣伝情報を送信する販売店側サーバ、３００はＤＣの配信等を行うサーバ３５０とＤＣ３２０等を記録したＤＣ記録部３１０とインタフェース機能を有するＩ／Ｆ（インタフェース）部３０５と本発明の種々のプログラムを記録した記録媒体を読取る記録媒体読取り部３０３とを有するデータセンタである。符号２１０はユーザ端末１００とネットワーク２００とを接続するノード、２１５は販売店側サーバ７００とネットワーク２００とを接続するノード、２０５はサーバ３５０とネットワーク２００とを接続するノードである。Ｉ／Ｆ部３０５はノード２０５とサーバ３５０等との間のインタフェース機能を有している。図２では図面の都合上、ユーザ端末１００のみを示しているが、図１に示されているように、ユーザ端末１００ａ、１００ｂ等と複数のユーザ端末が存在している。以下では、ユーザ端末１００ａをユーザ端末１００と代表させて説明する。
【００２７】
図２に示されるように、ＤＣ記録部３１０は、ＤＣ３２０と、後述する暗号化されたＤＣ３２０（以下、「ＤＣ３２０ｅｎｃ」と表す）と、暗号化されたＤＣ３２０の復号化に用いる鍵を含む鍵情報３４０と、ＤＣの識別名３３２毎に対応するＤＣ識別子３３０を記録したＤＣ識別子記録部３７０と、販売店の識別名３３７毎に販売店識別子３３５を記録した販売店識別子記録部３７２と、販売店識別子３３５に対応する販売店側からＤＣ識別子３３０に関して送信された送信日付４１０および宣伝データ４５５等を含む販売店の独自情報４００ａ等を記録した販売店独自情報記録部４００とを有している。
【００２８】
サーバ３５０のＤＣ識別子生成部（ディジタル・コンテンツ識別子生成手段）３５３は、ＤＣ３２０を識別するＤＣ識別子３３０を生成し、ＤＣ３２０の識別名３３２毎にＤＣ識別子３３０をＤＣ識別子記録部３７０に記録する。ＤＣ識別子３３０は後述するＤＣ３２０の暗号化等に用いられる。ＤＣ識別子３３０はＤＣ３２０またはＤＣ３２０ｅｎｃに埋め込まれることにより、ＤＣ３２０自体を識別する場合に用いられる。
【００２９】
サーバ３５０の販売店識別子生成部３５４は、ＤＣ３２０の販売店を識別する販売店識別子３３５を生成し、販売店の識別名３３７毎に販売店識別子３３５を販売店識別子記録部３７２に記録する。販売店識別子３３５はＤＣ３２０またはＤＣ３２０ｅｎｃに埋め込まれることにより、当該ＤＣ３２０がどの販売店を介して購入されたかを示すことができる。ＤＣ識別子記録部３７０および販売店識別子記録部３７２は、図２に一部が示されるような表形式で記録しておくことができる。
【００３０】
次にサーバ３５０の独自情報生成部（独自情報生成手段）３９０について説明する。販売店側サーバ７００の宣伝情報記録部７８０には、ＤＣ３２０の識別名３３２、ＤＣ３２０の販売店の識別名３３７およびＤＣ３２０の宣伝データ４５５を含む販売店の宣伝情報７９０が記録されている。この宣伝情報７９０は販売店側サーバ７００からサーバ３５０へ送信される。独自情報生成部３９０は、販売店側サーバ７００から送信された販売店の宣伝情報７９０中のＤＣ３２０の識別名３３２と販売店の識別名３３７とに基づいて、各々、ＤＣ識別子３３０をＤＣ識別子記録部３７０から取得し、販売店識別子３３５を販売店識別子記録部３７２から取得する。独自情報生成部３９０は、取得したＤＣ識別子３３０および販売店識別子３３５と宣伝情報７９０中の宣伝データ４５５と宣伝情報３９０が販売店側サーバ７００からサーバ３５０へ送信された送信日付４１０とを含む販売店毎の独自情報４００ａ等を販売店独自情報記録部４００に記録する。販売店独自情報記録部４００は、販売店側サーバ７００が適当なウェブ・ブラウザを利用してアクセスし宣伝情報３９０を独自に書き込むことができる入力ページとすることができる。宣伝情報３９０は販売店側が販売を行っているＤＣ３２０各々についてのコメント、関連ＤＣまたは続巻ＤＣ等の情報とすることができる。
【００３１】
サーバ３５０の識別子取得部（識別子取得手段）３５５は、利用部１２０（詳細は後述）から送信されたＤＣの識別名３３２に基づいて、ＤＣ識別子３３０をＤＣ識別子記録部３７０から取得し、利用部１２０から送信されたＤＣ３２０の販売店の識別名３３７に基づいて、販売店識別子３３５を販売店識別子記録部３７２から取得する。
【００３２】
サーバ３５０の暗号化部（暗号化手段）３５６は、利用部１２０から送信された利用部識別子１１０と識別子取得部３５５により取得されたＤＣ識別子３３０とに基づいて、ＤＣ３２０の暗号化を所定の部分（「非暗号化ＤＣ１１５」と表す）を除いて暗号を生成する暗号化を行う。つまり暗号化されたＤＣ３２０ｅｎｃは非暗号化ＤＣ１１５を含んでいる。非暗号化ＤＣ１１５は、例えば購入しなくても利用可能なＤＣ３２０中の試読または試聴部分等とすることができる。暗号化部３５６は、所定の暗号化鍵によりＤＣ３２０を暗号化することができる。後述するように、サーバ３５０が暗号化されたＤＣ３２０ｅｎｃを利用部１２０へ送信し、続いて利用部１２０から購入申込み情報１５３等を受信した場合に、サーバ３５０は当該暗号化鍵を含む鍵情報３４０を利用部１２０へ送信する。利用部１２０は送信された鍵情報３４０中の暗号化鍵を用いてＤＣ３２０ｅｎｃの復号化を行うことができる。
【００３３】
サーバ３５０の識別子埋め込み部（識別子埋め込み手段）３５７は、暗号化部３５６によるＤＣ３２０の暗号化に先立ちまたは暗号化の後に、ＤＣ３２０またはＤＣ３２０ｅｎｃへ利用部識別子１１０、ＤＣ識別子３３０および識別子取得部３５５により取得された販売店識別子３３５の埋め込みを行う。各種の識別子の埋め込みは、各種の識別子に必要なデータ・ビットをＤＣ３２０またはＤＣ３２０ｅｎｃへ追加することにより行うことができる。埋め込みは上述のようなデータ・ビットの追加ではなく、各種の識別子をユーザの視覚で検知できないように加工してＤＣ３２０と一体化するデータ・ハイディング等の技術により行うことが好適である。ＤＣ３２０に、そのデータの有する冗長性を利用して各種の識別子を埋め込む電子透かしの技術を用いることもできる。例えばＤＣ３２０が電子書籍等の画像情報である場合、画像上の１点が有する赤、緑および青毎の濃淡情報の冗長性を利用して各種の識別子を埋め込むことができる。電子透かしとしては、その他、ＪＰＥＧファイルの離散コサイン変換（Ｄｉｓｃｒｅｔｅ  Ｃｏｓｉｎｅ  Ｔｒａｎｓｆｏｒｍ  ：  ＤＣＴ）圧縮を利用する方法を用いることもできる。ＤＣ３２０が音声情報である場合、標本化を行って得られた情報の下位ビットを操作して各種の識別子を埋め込むことができる。その他、フーリエ変換等を利用する方法を用いることもできる。
【００３４】
以下で、ＤＣ３２０またはＤＣ３２０ｅｎｃに埋め込まれた状態のＤＣ識別子３３０を埋め込まれていない状態のＤＣ識別子３３０と区別する場合、ＤＣ識別子３３０ｅｍｂと表す。同様に、利用部識別子１１０および販売店識別子３３５についても、埋め込まれた状態を各々利用部識別子１１０ｅｍｂおよび販売店識別子３３５ｅｍｂと表す。
【００３５】
サーバ３５０のＤＣ配信部（ＤＣ配信手段）３５８は、暗号化部３５６により暗号化が行われ、識別子埋め込み部３５７により各種の識別子の埋め込みが行われたＤＣ３２０ｅｎｃを利用部１２０へ配信する。
【００３６】
サーバ３５０の独自情報配信部（独自情報配信手段）３９２は、ＤＣ配信部３５８によりＤＣ３２０を配信された利用部１２０へ、販売店独自情報記録部４００に記録された販売店毎の独自情報４００ａ等を配信する。この独自情報４００ａ等は配信したＤＣ３２０に埋め込まれたＤＣ識別子３３０ｅｍｂとそのＤＣ３２０を販売した販売店の販売店識別子３３５ｅｍｂとに対応するものである。この独自情報配信部３９２の機能により、販売店はＤＣ３２０を購入したユーザ端末１００のユーザに対して、明示的かつ煩雑なユーザ登録等（この場合は購入時における最初のユーザ登録）の作業を要求することなく、当該ユーザへＤＣ３２０に応じた独自情報の提供を行うことができる。すなわち、あるＤＣ３２０を購入したユーザに対して、そのＤＣ３２０に絞った宣伝のための情報、すなわち当該ユーザの嗜好を正確に把握した宣伝のための情報を配信することができる。このため、宣伝のための情報の配信を効率的に行うことができる。
【００３７】
サーバ３５０の購入処理部（購入処理手段）３６２は、利用部１２０からＤＣ３２０の購入申込み情報１５３とＤＣ３２０ｅｎｃとを少なくとも含む情報を受信した場合、ＤＣ３２０ｅｎｃに埋め込まれた販売店識別子３３５を取出す。一方、購入処理部３６２が、利用部１２０からＤＣ３２０の購入申込み情報１５３とＤＣの識別名３３２と販売店の識別名３３７とを少なくとも含む情報を受信した場合、販売店の識別名３３７に基づいて、販売店識別子３３５を販売店識別子記録部３７２から取得する。購入処理部３６２が、利用部１２０からＤＣ３２０の購入申込み情報１５３と、ＤＣ３２０ｅｎｃとＤＣの識別名３３２と販売店の識別名３３７とを含む情報を受信した場合、販売店識別子３３５の取得に関しては、ＤＣ３２０ｅｎｃに埋め込まれた販売店識別子３３５を取出してもよく、販売店の識別名３３７に基づいて、販売店識別子３３５を販売店識別子記録部３７２から取得してもよい。さらに購入処理部３６２は暗号化部３５６により生成された暗号の復号化に用いる鍵を含む鍵情報３４０を利用部１２０へ送信する。この際、サーバ３５０は利用部１２０のユーザに対応するダウンロード・課金情報ＤＢ３１０ｃ中の課金情報を更新する。すなわち、当該ユーザのＤＣ３２０の購入に対する課金を行う。
【００３８】
次に、宣伝データ４５５等の更新処理について説明する。サーバ３５０の独自情報配信部３９２による独自情報４００ａ等の配信の後に、販売店側サーバ７００からＤＣ３２０に関する新たな宣伝情報７９０の送信があった場合、独自情報生成部３９０は、新たな宣伝情報７９０中のＤＣの識別名３３２と販売店の識別名３３７とに基づいて各々に対応する識別子を取得する。詳しくは、ＤＣ識別子３３０をＤＣ識別子記録部３７０から取得し、販売店識別子３３５を販売店識別子記録部３７２から取得する。次に独自情報生成部３９０は、取得したＤＣ識別子３３０および販売店識別子３３５と、新たな宣伝情報７９０中の宣伝データ４５５と、新たな宣伝情報７９０が送信された送信日付４１０とを含む販売店毎の新たな独自情報４００ａ等を販売店独自情報記録部４００に記録する。つまり、販売店側サーバ７００からＤＣ３２０に関する新たな宣伝情報７９０の送信があった場合、独自情報生成部３９０は販売店独自情報記録部４００中の販売店識別子３３５とＤＣ３２０とに対応する宣伝データ４５５の内容を、新たな宣伝情報７９０中の宣伝データにより更新する。これと共に、独自情報生成部３９０は販売店独自情報記録部４００中の販売店識別子３３５とＤＣ３２０とに対応する送信日付４１０の内容を、新たな宣伝情報７９０の送信日付により更新する。
【００３９】
サーバ３５０の独自情報配信部３９２は、利用部１２０から送信された現利用情報１７０中の送信日付４１０と、この現利用情報１７０中の販売店識別子３３５およびＤＣ識別子３３０に対応する販売店独自情報記録部４００に記録された独自情報４００ａ等中の送信日付４１０ａ等とを比較する。この結果、現利用情報１７０中の送信日付４１０が独自情報４００ａ等中の送信日付４１０ａ等より古い日付である場合、独自情報４００ａ等を現利用情報１７０中の利用部識別子１１０に対応する利用部１２０へ配信する。上述のように販売店側サーバ７００は、ＤＣ３２０の販売後にサーバ３５０の販売店独自情報記録部４００の内容を適宜更新することができる。この間に利用部１２０では、購入したＤＣ３２０に対応して配信された宣伝データ４５５を宣伝データ表示部１６０により表示部１０２にＤＣ３２０の内容と共に表示等している。このため更新された宣伝データ４５５ａと比較して、表示部１０２に表示等されている宣伝データ４５５は古くなってしまっている。一方、利用部１２０からサーバ３５０へは、ＤＣ３２０の利用が行われている間、現利用情報１７０が適当なタイミングでサーバ３５０へ送られている。そこでサーバ３５０の独自情報配信部３９２は、上述のように利用部１２０から送信された現利用情報１７０中の送信日付４１０と、この現利用情報１７０中の販売店識別子３３５およびＤＣ識別子３３０に対応する更新された独自情報４００ａ等中の送信日付４１０ａ等とを比較する。この結果、現利用情報１７０中の送信日付４１０が独自情報４００ａ等中の送信日付４１０ａ等より古い日付であると判断された場合、更新された独自情報４００ａ等を現利用情報１７０中の利用部識別子１１０に対応する利用部１２０へ配信する。以上のようにして販売店側サーバ７００は、サーバ３５０を介して利用部１２０側へ、当該販売店が販売し利用部１２０で現在利用しているＤＣ３２０に関する更新した独自情報４００ａ等を送ることができる。
【００４０】
上述の独自情報配信部３９２の機能により、販売店はＤＣ３２０を購入したユーザ端末１００のユーザに対して、購入後においても明示的かつ煩雑なユーザ登録等の作業を要求することなく、当該ユーザへＤＣ３２０に応じた最新の独自情報の提供を行うことができる。このため、あるＤＣ３２０を購入したユーザに対して、そのＤＣ３２０に絞った宣伝のための最新の情報、すなわち当該ユーザの嗜好を正確に把握した宣伝のための最新の情報を配信することができる。このため、宣伝のための最新の情報の配信を効率的に行うことができる。
【００４１】
次に、ユーザ端末１００側の各機能について説明する。図３は、本発明のディジタル・コンテンツ利用システムにおけるユーザ端末１００の詳細を示す。図３で図１または図２と同じ符号を付した箇所は同じ機能を有する部分であるため説明は省略する。図３に示されるように、記憶装置ＨＤＤ１５０は、サーバ３５０から配信された暗号化ＤＣ３２０ｅｎｃと、後述する復号化されたＤＣ３２０と、サーバ３５０から配信された鍵情報３４０と、利用部識別子１１０等を含む後述する要求情報１５５と、後述する申込み情報１５３と、現在利用部１２０により利用されているＤＣ３２０に関する情報を示す現利用情報１７０と、サーバ３５０から配信された販売店の独自情報４００ａ等とを有している。ユーザ端末１００のＩ／Ｆ部１０３はノード２１０と利用部１２０等との間のインタフェース機能を有している。記録媒体読取り部１０８は本発明の種々のプログラム、例えば利用部１２０のプログラムおよび／または利用部１２０のインストーラを記録した記録媒体の読取りを行う。
【００４２】
利用部１２０の利用部識別子生成部（利用部識別子生成手段）１２２は、ユーザ端末１００の識別子に基づいて利用部識別子１１０を生成する。利用部識別子１１０は、ユーザ端末１００固有の識別子であり、例えばユーザ端末１００の製造番号等と紐付けて生成することができ、ＨＤＤ１５０に記録される。
【００４３】
利用部１２０のＤＣ要求部（ＤＣ要求手段）１２３は、ＤＣ３２０の識別名３３２と、ＤＣ３２０を販売する販売店の識別名３３７と利用部識別子生成部１２２により生成された利用部識別子１１０とを含む要求情報１５５をサーバ３５０へ送信する。ＤＣ３２０の識別名３３２およびＤＣ３２０の販売店の識別名３３７は、上述のように図１に示される販売店側サーバ７００のウェブ・サイト７４０等から得ることができる。この要求情報１５５をサーバ３５０へ送信して所望のＤＣのダウンロードを要求する。
【００４４】
利用部１２０の試行利用部（試行利用手段）１２４は、サーバ３５０のＤＣ配信部３５８により配信されたＤＣ３２０ｅｎｃ中で暗号化の対象から除かれた、つまり暗号化から除かれた所定の部分（非暗号化ＤＣ１１５部分）をそのＤＣ３２０の形態に応じて試行的に利用（試読等）することができる。
【００４５】
ユーザ端末１００のユーザが非暗号化ＤＣ１１５部分の試読等を行った結果、ＤＣ３２０の購入を希望する場合、利用部１２０の申込み情報送信部１２５はＤＣ３２０に対する購入申込み情報１５３とＤＣ３２０ｅｎｃとを少なくとも含む情報をサーバ３５０へ送信する。あるいは利用部１２０の申込み情報送信部１２５は、ＤＣ３２０に対する購入申込み情報１５３とＤＣの識別名３３２と販売店の識別名３３７とを少なくとも含む情報をサーバ３５０へ送信することもできる。利用部１２０の申込み情報送信部１２５は、ＤＣ３２０に対する購入申込み情報１５３と、ＤＣ３２０ｅｎｃとＤＣの識別名３３２と販売店の識別名３３７とを含む情報をサーバ３５０へ送信してもよい。以上の購入申込み情報１５３の送信は、例えば、利用部１２０によりユーザ端末１００のディスプレイ（不図示）上に購入の際の操作を示す購入画面が表示され、ユーザは当該購入画面上のＤＣ３２０に対応するボタンと購入ボタンとをクリックすることにより行うことができる。この際、ユーザはＤＣ３２０の価格の支払のための決済方法を選択することもできる。
【００４６】
サーバ３５０の購入処理部３６２からＤＣ３２０ｅｎｃの復号化に用いる鍵情報３４０が送信されると、利用部１２０の復号化部（復号化手段）１２６は、先に試行利用部１２４により試行利用されたＤＣ３２０ｅｎｃ中で暗号化された部分の復号化を購入処理部３６２により送信された鍵情報３４０に基づいて行う。
【００４７】
利用部１２０の識別子取出し部（識別子取出し手段）１２７は、復号化部１２６による復号化に先立ちまたは復号化の後に、ＤＣ３２０またはＤＣ３２０ｅｎｃに埋め込まれたＤＣ識別子３３０ｅｍｂおよび利用部識別子１１０ｅｍｂの取出しを行う。ＤＣ３２０に各種の識別子の埋め込みが行われた後に、そのＤＣ３２０の暗号化が行われた場合、復号化部１２６によるＤＣ３２０ｅｎｃの復号化の後に、識別子取出し部１２７が各種の識別子の取出しを行う。これとは逆に、ＤＣ３２０の暗号化が行われた後に、ＤＣ３２０ｅｎｃに各種の識別子の埋め込みが行われた場合、復号化部１２６によるＤＣ３２０ｅｎｃの復号化に先立ち、識別子取出し部１２７が各種の識別子の取出しを行う。
【００４８】
利用部１２０の認証部１２８は、識別子取出し部１２７により取り出された利用部識別子１１０（元の１１０ｅｍｂ）と利用部識別子生成部１２２により生成された利用部識別子１１０とが同一である場合、ＤＣ３２０の利用を認証する。
【００４９】
利用部１２０の形態利用部（形態利用手段）１３０は、認証部１２８により利用が認証されたＤＣ３２０をそのＤＣ３２０の形態に応じて利用することができる。ＤＣ３２０の形態は、上述のように電子書籍（文字、ディジタル化された静止画像および動画像等を含む）の形態の場合だけではなく、例えば電子化された音楽等の形態であってもよい。形態利用部１３０はＤＣ３２０の形態が電子書籍の形態である場合は、静止画像および動画像等の高精細な閲覧によりＤＣ３２０の利用を行うことができる。一方、ＤＣ３２０の形態が電子化された音楽等の形態である場合は、電子化された音楽等の聴取によりＤＣ３２０の利用を行うことができる。
【００５０】
利用部１２０の宣伝データ表示部（宣伝データ表示手段）１６０は、サーバ３５０の独自情報配信部３９２により配信された独自情報４００ａ等の中の宣伝データ４５５等を、上述の形態利用部１３０によるＤＣ３２０の利用と共に表示することができる。例えばユーザ端末１００のユーザがＤＣ３２０を閲覧等している間、宣伝データ表示部１６０は宣伝データ４５５等を表示部１０２（後に説明する図６参照）に表示された窓の中の小窓に表示することができる。このため、ユーザは意識することなくＤＣ３２０の販売店の独自の宣伝データ４５５等を入手することができる。上述のように、独自情報４００ａ等の内容が更新された場合、サーバ３５０の独自情報配信部３９２から更新された新たな独自情報４００ａ等が配信されてくる。この場合、宣伝データ表示部１６０は、当該新たな独自情報４００ａ等中の宣伝データ４５５等を、形態利用部１３０におけるＤＣ３２０の利用と共に更新して表示することができる。この結果、ユーザは意識することなくＤＣ３２０の販売店の最新の独自の宣伝データ４５５等を入手することができる。
【００５１】
利用部１２０の現利用情報送信部（現利用情報送信手段）１６２は、形態利用部１３０により利用しているＤＣに対応するＤＣ識別子３３０および販売店識別子３３５と、利用部識別子１１０と、サーバ３５０の独自情報配信部３９２により配信された独自情報４００ａ等の中の送信日付４１０とを含む現利用情報１７０をサーバ３５０へ送信することができる。すなわち、ユーザ端末１００がネットワーク２００に接続されている場合、現利用情報送信部１６２はユーザが利用しているＤＣ３２０のＤＣ識別子３３０と、そのＤＣ３２０を販売した販売店の販売店識別子３３５と、利用部１２０の利用部識別子１１０と、サーバ３５０の独自情報配信部３９２により配信された独自情報４００ａ等の中の送信日付４１０とを含む現利用情報１７０をサーバ３５０へ送信することができる。この結果サーバ３５０は、ユーザ端末１００のユーザが利用しているＤＣを販売した販売店と、現在ユーザ端末１００の表示部１０２に同時に表示されている宣伝データ４５５等が販売店からサーバ３５０へ送信された日付とをリアルタイムに把握することができる。
【００５２】
上述の現利用情報１７０の送信に関しては、例えばまずユーザ端末１００の利用部１２０を起動した段階でサーバ３５０へ接続を行い、次にＤＣ３２０の利用を開始した段階で現利用情報１７０を送信することができる。この後ＤＣ３２０の利用を終了した段階で終了した旨の通知をサーバ３５０へ送ることができる。この結果、サーバ３５０はユーザ端末１００のユーザが利用しているＤＣを随時把握することができる。
【００５３】
次に、販売店側サーバ７００の各機能について説明する。図４は、本発明のディジタル・コンテンツ利用システムにおける販売店側サーバ７００の詳細を示す。図４で図１ないし図３と同じ符号を付した箇所は同じ機能を有する部分であるため説明は省略する。図４において、符号７１０はノード２１５と販売店側サーバ７００との間のインタフェース機能を有しているＩ／Ｆ部である。図４に示されるように、ウェブ・サイト７４０は自販売店の識別名３３７と自販売店で販売するＤＣの識別名３３２とを含む種々の情報７９５を、Ｉ／Ｆ部７１０を介してユーザ端末１００等からアクセス可能に掲載している。
【００５４】
販売店側サーバ７００は自販売店で販売するＤＣ３２０の宣伝情報７９０を記録した宣伝情報記録部７８０を有している。この宣伝情報７９０は、自販売店の識別名３３７と、自販売店で販売するＤＣ３２０の識別名３３２と、そのＤＣ３２０の宣伝データ４５５等とを含んでいる。販売店側サーバ７００の宣伝情報送信部７２０は、宣伝情報記録部７８０に記録された自販売店の宣伝情報７９０を、Ｉ／Ｆ部７１０、ノード２１５およびネットワーク２００を介してデータセンタ３００のサーバ３５０へ送信することができる。以上のように、販売店側サーバ７００は自販売店で販売するＤＣを記録しておく必要はない。自販売店で販売するＤＣ３２０の識別名３３２と、そのＤＣ３２０の宣伝データ４５５等とを含む宣伝情報７９０を有しているだけであり、この宣伝情報７９０をサーバ３５０へ適宜送信するだけである。上述のようにＤＣのダウンロードおよび販売料金の決済、その他のＤＣの管理等はデータセンタ３００側で行うため、個人的または小規模なウェブ・サイト７４０を管理する販売店側サーバ７００であっても簡単にＤＣの宣伝および販売を行うことができる。
【００５５】
図５は、本発明の実施の形態１のディジタル・コンテンツ利用システムにおけるデータの流れをデータセンタ３００を中心に例示する。図５で図２と同じ符号を付した箇所は同じ要素を示すため説明は省略する。図５中に示されるステップ番号Ｓは後述の図８ないし図１０に示されるフローチャート中の番号である。
【００５６】
図５に示されるデータセンタ３００のＤＣ記録部３１０は、ＤＣ識別子記録部３７０と販売店識別子記録部３７２とを有している。ＤＣ識別子記録部３７０はＤＣの識別名３３２（例えば「ＤＣ−１２３」）と対応するＤＣ識別子３３０（例えば「００ＡＡ１１」）とを記録している。販売店識別子記録部３７２は販売店の識別名３３７（例えば「ＳＨＯＰ−１２３」）と対応する販売店識別子３３５（例えば「Ｆ３２１８」）とを記録している。
【００５７】
まず、販売店側サーバ７００から当該販売店の識別名３３７（例えば「ＳＨＯＰ−１２３」）と当該販売店が販売するＤＣの識別名３３２（例えば「ＤＣ−１２３」）と当該ＤＣに対する販売店の宣伝データ４５５等（例えば「来月発売．．．」）とを含む宣伝情報７９０等が送信される（ステップＳ２５）。サーバ３５０の独自情報生成部３９０は、送信された販売店の宣伝情報７９０等中のＤＣ３２０の識別名３３２「ＤＣ−１２３」と販売店の識別名３３７「ＳＨＯＰ−１２３」とに基づいて、各々対応するＤＣ識別子３３０「００ＡＡ１１」をＤＣ識別子記録部３７０から取得し、販売店識別子３３５「Ｆ３２１８」を販売店識別子記録部３７２から取得する（ステップＳ３０）。独自情報生成部３９０は、取得したＤＣ識別子３３０「００ＡＡ１１」および販売店識別子３３５「Ｆ３２１８」と宣伝情報７９０等中の宣伝データ４５５等「来月発売．．．」と宣伝情報７９０等が販売店側サーバ７００からサーバ３５０へ送信された送信日付４１０（例えば「２００２．５．１５」、２００２年５月１５日を示す。以下同様）とを含む販売店毎の独自情報を販売店独自情報記録部４００に記録する（ステップＳ３２）。
【００５８】
上述の宣伝データ４５５等は、詳しくは図５に示されるように、宣伝の対象となる項目名を示す宣伝データ名１が「続巻」の場合、その項目名に対する具体的な宣伝データ１は「来月発売．．．」という宣伝内容となっている。宣伝の対象となる項目名は複数個設定することができ、例えば図５に示されるように、宣伝データ名ｎが「その他」の場合、具体的な宣伝データｎは「映画化決定．．．」という宣伝内容となっている。
【００５９】
上記の同じ販売店から当該販売店が販売する他のＤＣの宣伝情報７９０等が送信された場合、サーバ３５０の独自情報生成部３９０は上述と同様にして、まず宣伝情報７９０等に含まれる当該販売店の識別名と他のＤＣの識別名とから、各々当該販売店の識別子と他のＤＣの識別子とを得る。次に、宣伝情報７９０等に含まれる宣伝データ４５５等と宣伝情報７９０等が送信された日付４１０とを含む販売店毎の別の独自情報を販売店独自情報記録部４００に記録する。
【００６０】
他の販売店から別のＤＣについての宣伝情報が異なる日付に送信された場合についても同様であり、図５にはそのような場合について販売店独自情報記録部４００に記録された例を示した。例えば他の販売店の販売店側サーバから当該他の販売店の識別名３３７（例えば「ＳＨＯＰ−３２１」）と当該他の販売店が販売する別のＤＣの識別名３３２（例えば「ＤＣ−４５６」）と当該別のＤＣに対する他の販売店の宣伝データ４５５等（例えば「限定販売．．．」）とを含む宣伝情報７９０等が送信された場合について説明する。サーバ３５０の独自情報生成部３９０は、送信された他の販売店の宣伝情報７９０等中のＤＣ３２０の識別名３３２「ＤＣ−４５６」と販売店の識別名３３７「ＳＨＯＰ−３２１」とに基づいて、各々対応するＤＣ識別子３３０「００ＢＢ２２」をＤＣ識別子記録部３７０から取得し、販売店識別子３３５「Ｆ８１２３」を販売店識別子記録部３７２から取得する。独自情報生成部３９０は、取得したＤＣ識別子３３０「００ＢＢ２２」および販売店識別子３３５「Ｆ８１２３」と宣伝情報７９０等中の宣伝データ４５５等「限定発売．．．」と宣伝情報７９０等が販売店側サーバ７００からサーバ３５０へ送信された送信日付４１０（例えば「２００２．６．１５」）とを含む販売店毎の独自情報を販売店独自情報記録部４００に記録する。
【００６１】
上述の他の販売店の宣伝データ４５５等は、詳しくは図５に示されるように、宣伝データ名１が「新巻」の場合、その項目名に対する具体的な宣伝データ１は「限定発売．．．」という宣伝内容となっている。宣伝データ名ｎが「作家」の場合、具体的な宣伝データｎは「サイン会．．．」という宣伝内容となっている。
【００６２】
利用部１２０から利用部識別子１１０（例えば「ＡＡＡ−ＰＰＰ−ＸＸ」）とＤＣの識別名３３２（例えば「ＤＣ−１２３」）と販売店の識別名３３７（例えば「ＳＨＯＰ−１２３」）とを含む要求情報１５５が送信されると、サーバ３５０の識別子取得部３５５は、当該要求情報１５５のＤＣの識別名３３２「ＤＣ−１２３」に基づいて、対応するＤＣ識別子３３０「００ＡＡ１１」をＤＣ識別子記録部３７０から取得する。識別子取得部３５５は、同様にして要求情報１５５の販売店の識別名３３７「ＳＨＯＰ−１２３」に基づいて、対応する販売店識別子３３５「Ｆ３２１８」を販売店識別子記録部３７２から取得する。
【００６３】
サーバ３５０のＤＣ記録部３１０が有するＤＣ３２０は、暗号化部３５６により暗号化される対象となる部分１１９、例えば「右の写真は、．．．です。」という文字データ部１１９ａと写真を示す画像データ部１１９ｂとを有している。暗号化部３５６による暗号化の対象とはならない非暗号化ＤＣ１１５は、例えば「本電子書籍は、．．．です。」という文字データの部分を有している。上述のデータの例は説明の都合上のものであり、暗号化される対象となる部分１１９は文字データ部１１９ａまたは画像データ部１１９ｂのみであってもよく、非暗号化ＤＣ１１５は画像データを含むものであってもよい。
【００６４】
サーバ３５０の識別子埋め込み部３５７は、暗号化部３５６によるＤＣ３２０の暗号化に先立ちまたは暗号化の後に、ＤＣ３２０またはＤＣ３２０ｅｎｃへ利用部識別子１１０（例えば「ＡＡＡ−ＰＰＰ−ＸＸ」）、ＤＣ識別子３３０（例えば「００ＡＡ１１」）および販売店識別子３３５（例えば「Ｆ３２１８」）の埋め込みを行う（ステップＳ４５）。暗号化部３５６は非暗号化ＤＣ１１５を除いて暗号を生成する暗号化を行う（ステップＳ４０）。図５では、暗号化の対象となる部分１１９は暗号化されたＤＣ３２０ｅｎｃ中で符号１１９ｅｎｃとして内部が斜線となっており、暗号化されていることを示している。ＤＣ３２０ｅｎｃはＤＣ配信部３５８により利用部１２０へ配信される（ステップＳ５０）。
【００６５】
サーバ３５０の独自情報配信部３９２は、ＤＣ配信部３５８によりＤＣ３２０ｅｎｃを配信した利用部１２０へ、販売店独自情報記録部４００に記録された販売店毎の独自情報４００ａ等を配信する（ステップＳ５５）。例えば、利用部１２０へ送信したＤＣ３２０ｅｎｃに埋め込まれたＤＣ識別子３３０ｅｍｂが「００ＡＡ１１」であり、そのＤＣ３２０ｅｎｃを販売した販売店の販売店識別子３３５ｅｍｂが「Ｆ３２１８」である場合、独自情報記録部４００に記録された独自情報４００ａを配信する。
【００６６】
ユーザ端末１００のユーザが、上述のように配信されたＤＣ３２０ｅｎｃの非暗号化ＤＣ１１５を試読等した後に、ＤＣ３２０の購入を申し込む購入申込み情報１５３とＤＣ３２０ｅｎｃとを少なくとも含む情報が利用部１２０からサーバ３５０へ送信した場合（ステップＳ７０）、サーバ３５０はＤＣ３２０ｅｎｃに埋め込まれた販売店識別子３３５（例えば「Ｆ３２１８」）を取出す。一方、ユーザが試読等した後に、ＤＣ３２０の購入申込み情報１５３とＤＣの識別名３３２（例えば「ＤＣ−１２３」）と販売店の識別名３３７（例えば「ＳＨＯＰ−１２３」）とを少なくとも含む情報を送信した場合（ステップＳ７０）、サーバ３５０は販売店の識別名３３７「ＳＨＯＰ−１２３」に基づいて、対応する販売店識別子３３５「Ｆ３２１８」を販売店識別子記録部３７２から取得する。ユーザが試読等した後に、ＤＣ３２０の購入申込み情報１５３とＤＣ３２０ｅｎｃとＤＣの識別名３３２（例えば「ＤＣ−１２３」）と販売店の識別名３３７（例えば「ＳＨＯＰ−１２３」）とを含む情報を送信した場合（ステップＳ７０）、サーバ３５０は販売店識別子３３５の取得に関しては、ＤＣ３２０ｅｎｃに埋め込まれた販売店識別子３３５（例えば「Ｆ３２１８」）を取出してもよく、販売店の識別名３３７「ＳＨＯＰ−１２３」に基づいて対応する販売店識別子３３５「Ｆ３２１８」）を販売店識別子記録部３７２から取得してもよい。
【００６７】
次にサーバ３５０から利用部１２０へ鍵情報３４０が送信される（ステップＳ８０）。
【００６８】
同じ販売店から当該販売店が販売する同じＤＣに関する別の宣伝情報７９０等が送信された場合（ステップＳ７５）、サーバ３５０の独自情報生成部３９０は上述と同様にして、別の宣伝情報７９０等に含まれる別の宣伝データ４５５等と当該別の宣伝情報７９０等が送信された新たな日付４１０（例えば「２００２．６．１」）とを含む販売店毎の別の独自情報を販売店独自情報記録部４００に記録する（ステップＳ８５、Ｓ８７）。例えば送信された別の宣伝情報７９０等の中の販売店の識別名３３７が「ＳＨＯＰ−１２３」でありＤＣの識別名が「ＤＣ−１２３」である場合、上述と同様にして販売店識別子３３５「Ｆ３２１８」とＤＣ識別子「００ＡＡ１１」とを得る。ここで、別の宣伝情報７９０等の中の宣伝データ名１（例えば「続巻」）に対応する宣伝データ１の内容が例えば「今月発売．．．」となっていた場合、新たな送信日付「２００２．６．１」と宣伝データ１の内容「今月発売．．．」とを用いて独自情報４００ａの内容を更新する。更新は変更された項目についてのみ行ってもよく、あるいは送信された宣伝情報７９０等の内容をそのまま宣伝データ名１（４５０）ないし宣伝データ名ｎ（４６５）へ記録してもよい。
【００６９】
ユーザ端末１００から、ユーザが利用しているＤＣ３２０のＤＣ識別子３３０（例えば「００ＡＡ１１」）と、そのＤＣ３２０を販売した販売店の販売店識別子３３５（例えば「Ｆ３２１８」）と、利用部１２０の利用部識別子１１０（例えば「ＡＡＡ−ＰＰＰ−ＸＸ」）と、先にサーバ３５０の独自情報配信部３９２によりユーザ端末１００へ配信された独自情報４００ａ等の中の送信日付４１０（例えば「２００２．５．１５」）とを含む現利用情報１７０が送信された場合（ステップＳ１２５）、独自情報配信部３９２は以下のような処理を行う。ここで、独自情報記録部４００中の独自情報４００ａは上述のように更新されていたものとする。
【００７０】
サーバ３５０の独自情報配信部３９２は、送信された現利用情報１７０中の販売店識別子３３５「Ｆ３２１８」およびＤＣ識別子３３０「００ＡＡ１１」を用いて販売店独自情報記録部４００を検索する。検索により独自情報４００ａが見つかると、この独自情報４００ａ中の送信日付４１０「２００２．６．１」と現利用情報１７０中の送信日付４１０「２００２．５．１５」とを比較する（ステップＳ１３５）。この結果、現利用情報１７０中の送信日付４１０「２００２．５．１５」が独自情報４００ａ中の送信日付４１０「２００２．６．１」より古い日付であると判断されるため、更新後の新たな独自情報４００ａを現利用情報１７０中の利用部識別子１１０「ＡＡＡ−ＰＰＰ−ＸＸ」に対応する利用部１２０へ配信する（ステップＳ１３５）。以上のようにして販売店識別子が「Ｆ３２１８」の販売店は、サーバ３５０を介して利用部１２０側へ、当該販売店が販売し利用部１２０で現在利用しているＤＣ識別子３３０「００ＡＡ１１」のＤＣ３２０に関する更新した独自情報４００ａを送ることができる。
【００７１】
図６は、本発明の実施の形態１のディジタル・コンテンツ利用システムにおけるデータの流れを利用部１２０を中心に例示する。図６で図３と同じ符号を付した箇所は同じ要素を示すため説明は省略する。図６中に示されるステップ番号Ｓは後述の図８ないし図１０に示されるフローチャート中の番号である。
【００７２】
まずユーザ端末１００のユーザは、上述のように販売店側サーバ７００のウェブ・サイト７４０から販売店の識別名と販売を行っているＤＣの識別名等とを含む種々の情報を得る（ステップＳ３４）。この種々の情報に基づいて、図６に示されるユーザ端末１００の記憶装置ＨＤＤ１５０に記録された要求情報１５５をサーバ３５０へ送信する（ステップＳ３６）。ここで要求情報１５５は、例えば図６に示されるように、ユーザ端末１００に固有の利用部識別子１１０（例えば「ＡＡＡ−ＰＰＰ−ＸＸ」）と、ＤＣの識別名３３２（例えば「ＤＣ−１２３」）と、当該ＤＣの識別名３３２のＤＣを販売している販売店の識別名３３７（例えば「ＳＨＯＰ−１２３」）とを有している。
【００７３】
サーバ３５０のＤＣ配信部３５８により、暗号化されたＤＣ３２０ｅｎｃが配信される（ステップＳ５０）。図６に示されるように、配信されたＤＣ３２０ｅｎｃは上述された図５中のＤＣ３２０ｅｎｃと同じであるため説明は省略する。この配信と同時に、サーバ３５０の独自情報配信部３９２により、ＤＣ３２０に関する宣伝データ４５５等を含む販売店の独自情報４００ａも配信される（ステップＳ５５）。図６では図面の都合上、配信された独自情報４００ａは上下に分割されて示されているが、上述された図５中の独自情報４００ａと同じであるため説明は省略する。
【００７４】
図６に示されるように、ＨＤＤ１５０はサーバ３５０から配信されたＤＣ３２０ｅｎｃを記録しているが、利用部１２０により利用（試読等）可能な部分は非暗号化ＤＣ１１５（「本電子書籍は、．．．です。」という文字データの部分）のみである。この非暗号化ＤＣ１１５は表示部１０２に表示４８５「本電子書籍は、．．．です。」で示されるように閲覧等が可能に表示されるため、ユーザは当該表示４８５について試読等の利用を行うことができる（ステップＳ６０）。この表示４８５と共に、宣伝データ名１（４５５）およびその宣伝データ１（４５５）等が表示部１０２に表示４８０「続巻情報：「来月発売．．．」」および表示４８３「その他の情報：「映画化決定．．．」」等のように表示される（ステップＳ６５）。この結果、ユーザが非暗号化ＤＣ１１５に対応する表示４８５「本電子書籍は、．．．です。」の試読等の利用を表示部１０２を介して行っている間、同一の表示部１０２中に表示４８０「続巻情報：「来月発売．．．」」および表示４８３「その他の情報：「映画化決定．．．」」等の宣伝データを表示することができる。このためユーザは意識することなくＤＣ３２０の販売店の独自の宣伝データ４５５等を入手することができる。
【００７５】
上述の試読等の後に、ＤＣ３２０の購入を申し込む購入申込み情報１５３とＤＣ３２０ｅｎｃとを少なくとも含む情報をサーバ３５０へ送信する（ステップＳ７０）。一方、試読等の後に、ＤＣ３２０の購入申込み情報１５３とＤＣの識別名３３２「ＤＣ−１２３」と販売店の識別名３３７「ＳＨＯＰ−１２３」とを少なくとも含む情報をサーバ３５０へ送信してもよい（ステップＳ７０）。あるいは試読等の後に、ＤＣ３２０の購入申込み情報１５３と、ＤＣ３２０ｅｎｃと、ＤＣの識別名３３２「ＤＣ−１２３」と、販売店の識別名３３７「ＳＨＯＰ−１２３」とを含む情報をサーバ３５０へ送信することもできる（ステップＳ７０）。
【００７６】
次に、サーバ３５０から鍵情報３４０が送信される（ステップＳ８０）。利用部１２０の識別子取出し部１２７は復号化部１２６による復号化に先立ちまたは復号化の後に、ＤＣ３２０またはＤＣ３２０ｅｎｃに埋め込まれたＤＣ識別子３３０ｅｍｂ「００ＡＡ１１」および利用部識別子１１０ｅｍｂ「ＡＡＡ−ＰＰＰ−ＸＸ」の取出しを行う（ステップＳ１００）。復号化部１２６は、送信された鍵情報３４０に基づき暗号化されたＤＣ３２０ｅｎｃの復号化を行い（ステップＳ１０５）、ＤＣ３２０として記録する。図６に示されるように、ＤＣ３２０ｅｎｃ中の暗号化の対象部分１１９ｅｎｃ（斜線でしめされた部分）は、復号化されてＤＣ３２０中の「右の写真は、．．．です」部分１１９ａおよび写真部分１１９ｂのように閲覧等の利用ができるようになっている。
【００７７】
利用部１２０の認証部１２８は、識別子取出し部１２７により取り出された利用部識別子１１０「ＡＡＡ−ＰＰＰ−ＸＸＸ」と利用部識別子生成部１２２により生成された利用部識別子１１０「ＡＡＡ−ＰＰＰ−ＸＸＸ」とが同一であると判断し、ＤＣ３２０の利用を認証する。この結果、復号化されたＤＣ３２０中の「右の写真は、．．．です」部分１１９ａおよび写真部分１１９ｂが、表示部１０２に各々表示４８７「右の写真は、．．．です」および表示４８９（写真）のように閲覧等が可能に表示されるため、ユーザは当該表示４８７等について利用を行うことができる（ステップＳ１２０）。この利用を行っている間にも、同一の表示部１０２中に表示４８０「続巻情報：「来月発売．．．」」および表示４８３「その他の情報：「映画化決定．．．」」等の宣伝データを表示することができる（ステップＳ１２３）。
【００７８】
上述のようにユーザがＤＣ３２０の利用を行っている間、ユーザ利用部１２０の現利用情報送信部１６２は、利用しているＤＣ３２０に対応するＤＣ識別子３３０「００ＡＡ１１」と、販売店識別子３３５「Ｆ３２１８」と、利用部識別子１１０「ＡＡＡ−ＰＰＰ−ＸＸ」と、サーバ３５０の独自情報配信部３９２により配信された独自情報４００ａの中の送信日付４１０「２００２．５．１５」とを含む現利用情報１７０をサーバ３５０へ送信することができる（ステップＳ１２５）。上述のように独自情報４００ａが更新されていた場合、更新後の新たな独自情報４００ａが利用部１２０へ配信される（ステップＳ１３５）。更新後の新たな独自情報４００ａ中で変更があった部分が上例のように宣伝データ１（４５５）「今月発売．．．」であった場合、ユーザがＤＣ３２０の利用を行っている間に、表示部１０２中の表示４８０が古い表示「続巻情報：「来月発売．．．」」から新しい表示「続巻情報：「今月発売．．．」」へ変化する。このため、ユーザは意識することなくＤＣ３２０の販売店の最新の独自の宣伝データ４５５等を入手することができる。この最新の宣伝データ４５５等は既に特定のＤＣ３２０の利用を行っているユーザに対して配信されるものであり、当該ユーザの嗜好を正確に把握した上で配信されたものということができる。以上のようにして、販売店側はユーザに対して煩雑なユーザ登録等の作業を要求することなく、ユーザの嗜好を正確に把握した効率的な宣伝のための情報を配信することができる。
【００７９】
図７は、本発明の実施の形態１のディジタル・コンテンツ利用システムにおけるデータの流れを販売店側サーバ７００を中心に例示する。図７で図４と同じ符号を付した箇所は同じ要素を示すため説明は省略する。図７中に示されるステップ番号Ｓは後述の図８ないし図１０に示されるフローチャート中の番号である。
【００８０】
販売店側サーバ７００は自販売店で販売するＤＣの宣伝情報７９０ａ、７９０ｂ等を記録した宣伝情報記録部７８０を有している。図７に示されるように、例えば宣伝情報７９０ａは、自販売店の識別名３３７「ＳＨＯＰ−１２３」と、自販売店で販売するＤＣの識別名３３２「ＤＣ−１２３」と、そのＤＣの宣伝データ名１（４５０ａ）「続巻」および宣伝データ１（４５５ａ）「来月発売．．．」と、宣伝データ名ｎ（４６０ａ）「その他」および宣伝データｎ（４６５ａ）「映画化決定．．．」とを含んでいる。宣伝情報７９０ｂは自販売店で販売する他のＤＣの宣伝情報であり、例えば上記と同じ自販売店の識別名３３７「ＳＨＯＰ−１２３」と、自販売店で販売するＤＣの識別名３３２「ＤＣ−４５６」と、そのＤＣの宣伝データ名１（４５０ａ）「新刊」および宣伝データ１（４５５ａ）「限定発売．．．」と、宣伝データ名ｎ（４６０ａ）「作家」および宣伝データｎ（４６５ａ）「サイン会．．．」とを含んでいる。宣伝情報記録部７８０に記録された自販売店のこれらの宣伝情報７９０ａ、７９０ｂ等は、販売店側サーバ７００の宣伝情報送信部７２０により、上述のようにデータセンタ３００のサーバ３５０へ送信することができる（ステップＳ２５、Ｓ７５）。送信される宣伝情報７９０ａ等が既に送信された宣伝情報と同一のＤＣの識別名を有している場合は、上述のように宣伝情報の更新を行うことになる。一方、送信される宣伝情報７９０ｂ等が既に送信された宣伝情報７９０ａと異なるＤＣの識別名を有している場合は、宣伝情報の追加を行うことになる。
【００８１】
図７に示されるように、ウェブ・サイト７４０は自販売店の識別名３３７「ＳＨＯＰ−１２３」と自販売店で販売するＤＣの識別名３３２「ＤＣ−１２３」とを含む種々の情報７９５を、ユーザ端末１００等からアクセス可能に掲載している。上述のように、ユーザ端末１００のユーザはウェブ・サイト７４０にアクセウスして、上記種々の情報７９５を入手することができる（ステップＳ３４）。
【００８２】
以上のように、販売店側サーバ７００は自販売店で販売するＤＣを記録しておく必要はなく、自販売店で販売するＤＣの宣伝情報７９０ａ等を有しているだけである。この宣伝情報７９０ａ等をサーバ３５０へ適宜送信し、宣伝情報の更新および追加等を行うだけで、ユーザに対して煩雑なユーザ登録等の作業を要求することなく、ユーザの嗜好を正確に把握した効率的な宣伝のための情報を配信することができる。上述のようにＤＣのダウンロードおよび販売料金の決済、その他のＤＣの管理等はデータセンタ３００側で行うため、個人的または小規模なウェブ・サイト７４０を管理する販売店側サーバ７００であっても簡単にＤＣの宣伝および販売を行うことができる。
【００８３】
図８ないし図１０は、本発明の実施の形態におけるディジタル・コンテンツ利用方法のフローチャートを示す。図８ないし図１０において、最左端のフローチャートは利用部１２０の処理を示し、中央のフローチャートはサーバ３５０の処理を示し、最右端のフローチャートは販売店側サーバ７００の処理を示し、各々の間で送信されるデータは各々を結ぶ横または斜め方向の矢印で示す。図８ないし図１０は一連の処理を図面の都合上３分割して各図に示したものであり、図８から図１０へと処理はつながっている。
【００８４】
図８に示されるように、まずサーバ３５０がＤＣ記録部３１０に記録されたＤＣ３２０を識別するＤＣ識別子３３０を生成し、ＤＣの識別名３３２毎にＤＣ識別子３３０をＤＣ識別子記録部３７０に記録する（ステップＳ１０。ディジタル・コンテンツ識別子生成ステップ）。次に、ＤＣ３２０の販売店を識別する販売店識別子３３５を生成し、販売店の識別名３３７毎に販売店識別子３３５を販売店識別子記録部３７２に記録する。
【００８５】
一方、利用部１２０は、ユーザ端末１００に固有の識別子に基づいて利用部識別子１１０を生成する（ステップＳ２０。利用部識別子生成ステップ）。
【００８６】
販売店側サーバ７００は、ＤＣの識別名３３２、ＤＣの販売店（自販売店）の識別名３３７および宣伝情報記録部７８０に記録されたＤＣの宣伝データ４５５等を含む販売店の宣伝情報７９０等をサーバ３５０へ送信する（ステップＳ２５。宣伝情報送信ステップ）。
【００８７】
サーバ３５０は、ステップＳ２５（宣伝情報送信ステップ）で送信された宣伝情報７９０等中のＤＣの識別名３３２と販売店の識別名３３７とに基づいて、各々、ＤＣ識別子３３０をＤＣ識別子記録部３７０から取得し、販売店識別子３３５を販売店識別子記録部３７２から取得する（ステップＳ３０）。次に、取得したＤＣ識別子３３０および販売店識別子３３５と、宣伝情報７９０等中の宣伝データ４５５等と、宣伝情報７９０が送信された送信日付４１０とを含む販売店毎の独自情報４００ａ等を販売店独自情報記録部４００に記録する（ステップＳ３２。独自情報記録ステップ）。
【００８８】
利用部１２０は、ＤＣの識別名３３２と販売店の識別名３３７とを含む種々の情報７９５を、ウェブ・サイト７４０にアクセスして情報７９５の転送により販売店側サーバ７００から取得する（ステップＳ３４）。次に、利用部１２０は取得したＤＣの識別名３３２、ＤＣの販売店の識別名３３７および利用部識別子生成ステップで生成された利用部識別子１１０を含む要求情報１５５をサーバ３５０へ送信する（ステップＳ３６。ＤＣ要求ステップ）。
【００８９】
サーバ３５０は、ステップＳ３６（ＤＣ要求ステップ）で送信されたＤＣの識別名３３２に基づいて、ＤＣ識別子３３０をＤＣ識別子記録部３７０から取得し、同ステップＳ３６で送信されたＤＣの販売店の識別名３３７に基づいて、販売店識別子３３５を販売店識別子記録部３７２から取得する（ステップＳ３８。識別子取得ステップ）。
【００９０】
以上の図８に示される処理は、利用部１２０の処理に関してはページ外接合子Ｓ３６Ｅにより、サーバ３５０の処理に関してはページ外接合子Ｓ３８Ｅにより、販売店側サーバ７００の処理に関してはページ外接合子Ｓ３４Ｅにより図９に接合されている。
【００９１】
図９は図８に示されたフローチャートの続きのフローチャートを示す。図９に示されるように、サーバ３５０は、ステップＳ３６（ＤＣ要求ステップ）で送信された利用部識別子１１０とステップＳ３８（識別子取得ステップ）で取得されたＤＣ識別子３３０とに基づいて、ＤＣ３２０の所定の部分（ＤＣ３２０中で暗号化から除かれた所定の部分：非暗号化ＤＣ１１５）を除いて暗号を生成する暗号化を行う（ステップＳ４０。暗号化ステップ）。ステップＳ４０（暗号化ステップ）による暗号化の後に、利用部１２０から送信された利用部識別子１１０、ステップＳ３８（識別子取得ステップ）で取得されたＤＣ識別子３３０および販売店識別子３３５のＤＣ３２０への埋込みを行う（ステップＳ４５。識別子埋め込みステップ）。上述のステップＳ４０とＳ４５とは処理順序を逆にしてもよい。すなわち、ステップＳ４５（識別子埋め込みステップ）はステップＳ４０（暗号化ステップ）による暗号化に先立って処理することもできる。図９では（図８の）ステップＳ３８（識別子取得ステップ）から２分岐とすることにより、ステップＳ４０からＳ４５への処理順序とステップＳ４５からＳ４０への処理順序とを示している。いずれの処理順序でもステップＳ４０（暗号化ステップ）による暗号化とステップＳ４５（識別子埋め込みステップ）による識別子の埋め込みとが行われたＤＣ（暗号化ＤＣ３２０ｅｎｃ）を、サーバ３５０から利用部１２０へ配信する（ステップＳ５０。ＤＣ配信ステップ）。
【００９２】
ステップＳ５０（配信ステップ）でＤＣを配信された利用部１２０へ、ＤＣ３２０ｅｎｃに埋め込まれたＤＣ識別子３３０ｅｍｂと販売店識別子３３５ｅｍｂとに対応する、販売店独自情報記録部４００に記録された販売店毎の独自情報４００ａ等を配信する（ステップＳ５５。独自情報配信ステップ）。
【００９３】
利用部１２０は、ステップＳ５０（ＤＣ配信ステップ）で配信されたＤＣ３２０ｅｎｃ中の非暗号化ＤＣ１１５についてその形態に応じた試読等の利用を行う（試行利用ステップ。ステップＳ６０）。この試行利用ステップにおけるＤＣの利用と共に、ステップＳ５５（独自情報配信ステップ）で配信された独自情報４００ａ等中の宣伝データ４５５等を表示部１０２に表示する（ステップＳ６５。試行中の宣伝データ表示ステップ）。
【００９４】
試読後、ステップＳ５０（ＤＣ配信ステップ）で配信されたＤＣ３２０の購入を行う場合は、ＤＣ３２０に対する購入申込み情報１５３とＤＣ３２０ｅｎｃとを少なくとも含む情報をサーバ３５０側へ送信する（ステップＳ７０）。ＤＣ３２０に対する購入申込み情報１５３とＤＣの識別名３３２と販売店の識別名３３７とを少なくとも含む情報をサーバ３５０側へ送信してもよい（ステップＳ７０）。あるいは、ＤＣ３２０の購入申込み情報１５３と、ＤＣ３２０ｅｎｃと、ＤＣの識別名３３２と、販売店の識別名３３７とを含む情報をサーバ３５０側へ送信してもよい（ステップＳ７０）。
【００９５】
サーバ３５０が利用部１２０からＤＣ３２０の購入申込み情報１５３とＤＣ３２０ｅｎｃとを少なくとも含む情報を受信した場合、サーバ３５０はＤＣ３２０ｅｎｃに埋め込まれた販売店識別子３３５を取出す。一方、サーバ３５０が利用部１２０からＤＣ３２０の購入申込み情報１５３とＤＣの識別名３３２と販売店の識別名３３７とを少なくとも含む情報を受信した場合、サーバ３５０は販売店の識別名３３７に基づいて、販売店識別子３３５を販売店識別子記録部３７２から取得する。あるいはサーバ３５０が利用部１２０からＤＣ３２０の購入申込み情報１５３と、ＤＣ３２０ｅｎｃとＤＣの識別名３３２と販売店の識別名３３７とを含む情報を受信した場合、サーバ３５０は販売店識別子３３５の取得に関しては、ＤＣ３２０ｅｎｃに埋め込まれた販売店識別子３３５を取出してもよく、販売店の識別名３３７に基づいて、販売店識別子３３５を販売店識別子記録部３７２から取得してもよい。いずれにしても、ＤＣ３２０を販売した販売店の管理を行うことができ、販売店へＤＣ３２０の紹介に見合った報酬を支払うことが可能となるため、複数の販売店全体に対する販売促進を行うことができる。次に、ステップＳ４０（暗号化ステップ）により生成された暗号の復号化に用いる鍵を含む鍵情報３４０を利用部１２０へ送信する（ステップＳ８０。購入処理ステップ）。
【００９６】
販売店側サーバ７００は、ステップＳ５５（独自情報配信ステップ）の後に、サーバ３５０へ新たな宣伝情報７９０の送信を行うことができる（ステップＳ７５）。
【００９７】
以上の図９に示される処理は、利用部１２０の処理に関してはページ外接合子Ｓ７０Ｅにより、サーバ３５０の処理に関してはページ外接合子Ｓ８０Ｅにより図１０に接合されている。販売店側サーバ７００の処理に関しては上述のステップＳ７５で一応終了する。しかし、販売店側サーバ７００はステップＳ７５の処理の後に、必要に応じて何度でもステップＳ７５の処理、すなわち新たな宣伝情報７９０のサーバ３５０への送信を行うことができる。このステップＳ７５は既述のステップＳ２５に対応する処理であるため、この新たな宣伝情報７９０の送信に応じて、サーバ３５０は既述のステップＳ３０から後述するステップＳ１３５までの処理を繰返し、利用部１２０は既述のステップＳ３６から後述のステップＳ１４０までの処理を繰返すことができる。
【００９８】
図１０は図９に示されたフローチャートの続きのフローチャートを示す。図１０に示されるように、（図９の）ステップＳ４５（識別子埋め込みステップ）の後にステップＳ４０（暗号化ステップ）が行われた場合、利用部１２０は、まずステップＳ５０（ＤＣ配信ステップ）で利用部１２０側へ配信されたＤＣ３２０ｅｎｃ中で暗号化された部分の復号化を、ステップＳ８０（購入処理ステップ）で送信された鍵情報３４０に基づいて行う（ステップＳ１０５。復号化ステップ）。続いて、ＤＣ３２０ｅｎｃ中に埋め込まれたＤＣ識別子３３０ｅｍｂおよび利用部識別子１１０ｅｍｂの取出しを行う（ステップＳ１００。識別子取出しステップ）。これとは逆に、（図９の）ステップＳ４０（暗号化ステップ）の後にステップＳ４５（識別子埋め込みステップ）が行われた場合、利用部１２０は、まずステップＳ５０（ＤＣ配信ステップ）で利用部１２０側へ配信されたＤＣ３２０ｅｎｃ中に埋め込まれたＤＣ識別子３３０ｅｍｂおよび利用部識別子１１０ｅｍｂの取出しを行う（ステップＳ１００。識別子取出しステップ）。続いて、ＤＣ３２０ｅｎｃ中で暗号化された部分の復号化を、ステップＳ８０（購入処理ステップ）で送信された鍵情報３４０に基づいて行う（ステップＳ１０５。復号化ステップ）。図１０では、（図９の）ステップＳ８０（購入処理ステップ）により鍵情報３４０が利用部１２０側へ送信された後から２分岐とすることにより、ステップＳ１００からＳ１０５への処理順序とステップＳ１０５からＳ１００への処理順序とを示している。
【００９９】
上述のいずれの処理順序でも、利用部１２０は、ステップＳ１００（識別子取出しステップ）で取り出された利用部識別子１１０ｅｍｂとステップＳ２０（利用部識別子生成ステップ）で生成された利用部識別子１１０とが同一であるかどうかを判断し、同一であると判断された場合、ＤＣ３２０の利用を認証する（ステップＳ１１０。認証ステップ）。ステップＳ１１０（認証ステップ）で利用が認証されたＤＣ３２０をＤＣ３２０の形態に応じて利用する（ステップＳ１２０。形態利用ステップ）。ステップＳ１１０（認証ステップ）で利用が認証されなかった場合、ＤＣ３２０の利用は行えない。利用は、上述のようにＤＣ３２０の形態、例えばＤＣ（文字、ディジタル化された静止画像および動画像等を含む）の形態または電子化された音楽等の形態に応じて、閲覧または聴取等の形態で行う。
【０１００】
利用部１２０は、上述のステップＳ５５（独自情報配信ステップ）で利用部１２０へ配信された独自情報４００ａ等中の宣伝データ４５５等を、ステップＳ１２０（形態利用ステップ）におけるＤＣ利用と共に表示部１０２に表示する（ステップＳ１２３。宣伝データ表示ステップ）。
【０１０１】
利用部１２０は、ステップＳ１２０（形態利用ステップ）で利用しているＤＣ３２０に対応するＤＣ３３０識別子および販売店識別子３３５と、利用部識別子１１０と、ステップＳ５５（独自情報配信ステップ）で利用部１２０へ配信された独自情報４００ａ中の送信日付４１０とを含む現利用情報１７０をサーバ３５０へ送信する（ステップＳ１２５。現利用情報送信ステップ）。
【０１０２】
一方、サーバ３５０は、ステップＳ５５（独自情報配信ステップ）の後に、販売店側サーバ７００から新たな宣伝情報７９０等の配信があった場合（ステップＳ７５）、新たな宣伝情報７９０等の中のＤＣの識別名３３２と販売店の識別名３３７とに基づいて、各々、ＤＣ識別子３３０をＤＣ識別子記録部３７０から取得し、販売店識別子３３５を販売店識別子記録部３７２から取得する（ステップＳ８５）。取得したＤＣ識別子３３０および販売店識別子３３５と、新たな宣伝情報７９０等の中の宣伝データ４５５等と、新たな宣伝情報７９０等が送信された送信日付４１０とを含む販売店毎の新たな独自情報４００を販売店独自情報記録部４００に記録する（ステップＳ８７）。新たな宣伝情報７９０等について取得したＤＣ識別子３３０および販売店識別子３３５が販売店独自情報記録部４００に記録された既存の独自情報４００ａ等と同一である場合、上述の記録は新たな宣伝データ４５５等と新たな日付４１０とを記録する更新処理となる。
【０１０３】
サーバ３５０は、ステップＳ１２５（現利用情報送信ステップ）で利用部１２０から送信された現利用情報１５８中の販売店識別子３３５およびＤＣ識別子３３０に対応する独自情報４００ａ等を販売店独自情報記録部４００から検索し、検索された独自情報４００ａ等中の送信日付４１０と現利用情報１５８中の送信日付４１０とを比較する（ステップＳ１３０）。この比較の結果、現利用情報中１５８中の送信日付４１０が独自情報４００ａ等の中の送信日付４１０より古い日付である場合、つまり独自情報４００ａ等が既に新たな宣伝データ４５５等により更新されていた場合、更新された独自情報４００ａ等を現利用情報１５８中の利用部識別子１１０に対応する利用部１２０へ配信する（ステップＳ１３５）。この後、サーバ３５０の処理に関してはステップＳ１３５で一応終了する。しかし、上述のように販売店側サーバ７００から必要に応じて何度も新たな宣伝情報７９０の送信が行われる。このため、この新たな宣伝情報７９０の送信に応じて、サーバ３５０は既述のステップＳ３０からステップＳ１３５までの処理を繰返すことができる。
【０１０４】
利用部１２０は、サーバ３５０から配信された新たな独自情報４００ａ等の中の新たな宣伝データ４５５等を、ステップＳ１２０（形態利用ステップ）におけるＤＣの利用と共に表示部１０２に更新して表示することができる（ステップＳ１４０）。利用部１２０の処理に関してはステップＳ１４０で一応終了する。しかし、販売店側サーバ７００は必要に応じて何度でも新たな宣伝情報７９０のサーバ３５０への送信を行うことができる。このため新たな宣伝情報７９０の送信に応じて、利用部１２０は既述のステップＳ３６からステップＳ１４０までの処理を繰返すことができる。
【０１０５】
以上より、本発明の実施の形態によれば、販売店側サーバ７００からサーバ３５０へ自販売店が販売するＤＣに関する宣伝情報を送信することができる。サーバ３５０は各販売店側サーバ３５０から送信された種々のＤＣに関する宣伝情報を、送信された日付と共に販売店毎に販売店独自情報記録部に記録することができる。
【０１０６】
ユーザ端末１００等のユーザは販売店側のウェブ・サイト７４０等を介して販売店が販売するＤＣに関する情報を取得し、所望のＤＣに対する要求情報１５５をサーバ３５０へ送信することができる。
【０１０７】
サーバ３５０は、要求情報１５５で要求されたＤＣを配信する前に、ＤＣ３２０の暗号化に先立ちまたは暗号化の後に、ＤＣ３２０またはＤＣ３２０ｅｎｃへ販売店識別子３３５、利用部識別子１１０およびＤＣ識別子３３０の埋め込みを行う。暗号化は試行的な利用（試読等）が可能な所定の部分を残して行う。この後ＤＣ３２０ｅｎｃを利用部１２０側へ配信する。このＤＣ３２０ｅｎｃの配信と共に対応するＤＣの独自情報４００ａ等も配信する。
【０１０８】
サーバ３５０が独自情報４００ａ等を利用部１２０へ配信した後、販売店側サーバ７００から新たな宣伝情報７９０等がサーバ３５０へ送信された場合、サーバ３５０は新たな宣伝情報７９０等に基づいて販売店独自情報記録部４００の更新を行う。
【０１０９】
ユーザ端末１００等のユーザは、サーバ３５０から配信されたＤＣ３２０ｅｎｃ中で暗号化の対象から除かれた、つまり暗号化から除かれた所定の部分をそのＤＣ３２０の形態に応じて試読等を行う。この試読等の間、ユーザ端末１００等の表示部１０２には送信された独自情報４００ａ等の中の宣伝データ４５５等が表示される。試読等の後、ユーザ端末１００のユーザがＤＣ３２０の購入を希望する場合、利用部１２０の申込み情報送信部１２５はＤＣ３２０に対する購入申込み情報１５３とＤＣ３２０ｅｎｃとを少なくとも含む情報をサーバ３５０へ送信する。この場合、ＤＣ３２０ｅｎｃの替わりにＤＣの識別名と販売店の識別名とを送信してもよい。
【０１１０】
いずれの場合でも、サーバ３５０はＤＣ３２０の販売を行った販売店の販売店識別子３３５を得ることができる。上述のようにＤＣ３２０自体が販売店等に関する情報を有しているため、ＤＣ３２０を販売した販売店へ紹介に見合った報酬を支払うことが可能となり、複数の販売店全体に対する販売促進を行うことができる。
【０１１１】
サーバ３５０は、ＤＣ３２０ｅｎｃの復号化を行う鍵情報３４０を利用部１２０へ送信する。利用部１２０はこの鍵情報３４０を用いてＤＣ３２０の復号化を行う。復号化によりＤＣ３２０から取り出された利用部識別子１１０と利用部１２０が元々生成した利用部識別子とが一致する場合、ユーザ端末１００等のユーザはＤＣ３２０の利用を行うことを認証される。この後、当該ユーザがＤＣ３２０の利用を行っている間、既に配信された販売店の独自情報４００ａ中の宣伝データ４５５等も表示部１０２に表示される。この独自情報４００ａ等の配信および宣伝データ４５５等の表示により、販売店はＤＣ３２０を購入したユーザ端末１００のユーザに対して、明示的かつ煩雑なユーザ登録等（この場合は購入時における最初のユーザ登録）の作業を要求することなく、当該ユーザへＤＣ３２０に応じた独自情報の提供を行うことができる。すなわち、あるＤＣ３２０を購入したユーザに対して、そのＤＣ３２０に絞った宣伝のための情報、すなわち当該ユーザの嗜好を正確に把握した宣伝のための情報を配信することができる。このため、宣伝のための情報の配信を効率的に行うことができる。
【０１１２】
上述のユーザがＤＣ３２０の利用を行っている間、利用しているＤＣに関する現利用情報１７０がサーバ３５０へ送信される。このため、サーバ３５０は、ユーザ端末１００のユーザが利用しているＤＣを販売した販売店と、現在ユーザ端末１００の表示部１０２に同時に表示されている宣伝データ４５５等が販売店からサーバ３５０へ送信された日付とをリアルタイムに把握することができる。サーバ３５０は、送信された現利用情報１７０の中の送信日付４１０と販売店独自情報記録部４００の中の対応する独自情報４００ａ等の中の送信日付４１０とを比較する。破格の結果、送信された現利用情報１７０の中の送信日付４１０が対応する独自情報４００ａ等の中の送信日付４１０よりも古かった場合、対応する独自情報４００ａ等は新たな宣伝データ４５５等により更新されていたことがわかる。そこで、サーバ３５０は更新後の独自情報４００ａ等を利用部１２０ｇへ配信することができる。
【０１１３】
以上のようにして、販売店側サーバ３５０によりサーバ３５０側の独自情報４００ａ等の内容が更新された場合、サーバ３５０側から更新された新たな独自情報４００ａ等が配信されてくる。利用部１２０は、当該新たな独自情報４００ａ等中の宣伝データ４５５等を、形態利用部１３０におけるＤＣ３２０の利用と共に更新して表示することができる。この結果、ユーザは意識することなくＤＣ３２０の販売店の最新の独自の宣伝データ４５５等を入手することができる。
【０１１４】
販売店側サーバ７００は自販売店で販売するＤＣを記録しておく必要はなく、自販売店で販売するＤＣ３２０の識別名３３２と、そのＤＣ３２０の宣伝データ４５５等とを含む宣伝情報７９０を有しているだけである。販売店側サーバ７００はこの宣伝情報７９０をサーバ３５０へ適宜送信するだけである。ＤＣのダウンロードおよび販売料金の決済、その他のＤＣの管理等はデータセンタ３００側で行うため、個人的または小規模なウェブ・サイト７４０を管理する販売店側サーバ７００であっても簡単にＤＣの宣伝および販売を行うことができる。
【０１１５】
上述の説明では、利用部１２０は予めユーザ端末１００に設けられていた。この利用部１２０はユーザがＣＤ−ＲＯＭ等の記録媒体の形態で入手して、記録媒体読取り部１０８からユーザ端末１００上にインストールすることができる。しかし、サーバ３５０側に、利用部１２０および／または利用部１２０をユーザ端末１００にインストールするインストーラ（不図示）をユーザ端末１００から取得（ダウンロード）可能な状態に置くこともできる。この結果、ユーザは、利用部１２０および／またはインストーラをサーバ３５０からダウンロードし、ユーザ端末１００上に利用部１２０をインストールすることができる。利用部１２０のインストールの際に、利用部識別子生成部１２２が利用部識別子１１０を生成することもできる。
【０１１６】
上述した実施の形態の機能を実現する本発明のコンピュータ・プログラムを、各々ユーザ端末１００またはサーバ３５０側に供給し、当該ユーザ端末１００またはサーバ３５０等のＣＰＵが当該コンピュータ・プログラムを実行することによっても、本発明の目的が達成されることは言うまでもない。当該コンピュータ・プログラムの供給はネットワーク２００を介して供給することができる。あるいは記録媒体の形態で当該ユーザ端末１００の記録媒体読取り部１０８またはサーバ３５０等の記録媒体読取り部３０３に供給することもできる。上述の場合、当該コンピュータ・プログラム自体が本発明のユーザ端末またはサーバ等の新規な機能を実現することになる。さらに、当該コンピュータ・プログラムを記録した記録媒体も同様に本発明を構成することになる。当該コンピュータ・プログラムを記録した記録媒体としては、例えば、ＣＤ−ＲＯＭ、メモリ・カード、ＤＶＤ、光ディスク、ＦＤ、ハードディスク、ＲＯＭ等を用いることができる。
【０１１７】
【発明の効果】
以上説明したように、本発明のディジタル・コンテンツ利用システムおよび方法等によれば、サーバ３５０は、販売店側サーバ７００から送信されたＤＣ３２０に関する宣伝データ４５５等を含む宣伝情報７９０等を、送信された日付と共に販売店独自情報記録部４００に独自情報４００ａ等として記録することができる。サーバ３５０はユーザ端末１００等へＤＣ３２０を配信すると共に、このＤＣ３２０に関する独自情報４００ａ等も配信することができる。ユーザがＤＣ３２０の利用を行っている間、配信された独自情報４００ａ中の宣伝データ４５５等も表示部１０２に表示する。この独自情報４００ａ等の配信および宣伝データ４５５等の表示により、販売店はＤＣ３２０を購入したユーザ端末１００のユーザに対して、明示的かつ煩雑なユーザ登録等（この場合は購入時における最初のユーザ登録）の作業を要求することなく、当該ユーザへＤＣ３２０に応じた宣伝データ４５５等の提供を行うことができる。すなわち、あるＤＣ３２０を購入したユーザに対して、そのＤＣ３２０に絞った宣伝のための情報、すなわち当該ユーザの嗜好を正確に把握した宣伝のための情報を配信することができる。このため、宣伝のための情報の配信を効率的に行うことができるディジタル・コンテンツ利用システムおよび方法等を提供することができる。
【０１１８】
販売店側サーバ３５０によりサーバ３５０側の独自情報４００ａ等の内容が更新された場合、サーバ３５０側から利用部１２０へ更新された新たな独自情報４００ａ等を配信することができる。利用部１２０は、当該新たな独自情報４００ａ等中の宣伝データ４５５等を、形態利用部１３０におけるＤＣ３２０の利用と共に更新して表示することができる。この結果、ユーザは意識することなくＤＣ３２０の販売店の最新の独自の宣伝データ４５５等を入手することができる。
【０１１９】
さらに本発明のディジタル・コンテンツ利用システムおよび方法等によれば、販売店側サーバ７００は自販売店で販売するＤＣを記録しておく必要はなく、上述の宣伝情報７９０をサーバ３５０へ適宜送信するだけである。ＤＣのダウンロードおよび販売料金の決済、その他のＤＣの管理等はデータセンタ３００側で行うことができる。このため、電子書籍のインターネット等のネットワークを介した販売を行う場合、個人のウェブ・サイト等でもディジタル・コンテンツの販売を簡易に行うことができ、ユーザの嗜好を正確に把握した効率的な宣伝のための情報を簡易に配信することができるディジタル・コンテンツ利用システムおよび方法等を提供することができる。
【図面の簡単な説明】
【図１】本発明のディジタル・コンテンツ利用システムおよび方法等の全体の概要を示す図である。
【図２】本発明のディジタル・コンテンツ利用システムにおけるデータセンタ３００側のサーバ３５０等の詳細を示す図である。
【図３】本発明のディジタル・コンテンツ利用システムにおけるユーザ端末１００の詳細を示す図である。
【図４】本発明のディジタル・コンテンツ利用システムにおける販売店側サーバ７００の詳細を示す図である。
【図５】本発明の実施の形態１のディジタル・コンテンツ利用システムにおけるデータの流れをデータセンタ３００を中心に例示する図である。
【図６】本発明の実施の形態１のディジタル・コンテンツ利用システムにおけるデータの流れを利用部１２０を中心に例示する図である。
【図７】本発明の実施の形態１のディジタル・コンテンツ利用システムにおけるデータの流れを販売店側サーバ７００を中心に例示する図である。
【図８】本発明の実施の形態におけるディジタル・コンテンツ利用方法を示すフローチャートである。
【図９】本発明の実施の形態におけるディジタル・コンテンツ利用方法を示すフローチャートである。
【図１０】本発明の実施の形態におけるディジタル・コンテンツ利用方法を示すフローチャートである。
【符号の説明】
１００ａ，１００ｂ  ユーザ端末、  １０２  表示部、  １０３，３０５，７１０  インタフェース（Ｉ／Ｆ）部、  １０５ａ，１０５ｂ  ユーザのシステム、  １０７ａ，１０７ｂ  ＷＷＷブラウザ、  １０８，３０３  記録媒体読取り部、  １１０，１１０ｅｍｂ  利用部識別子、  １１５  非暗号化ＤＣ、  １１９，１１９ａ，１１９ｂ，１１９ｅｎｃ  暗号化の対象部分、  １２０，１２０ａ，１２０ｂ  利用部、  １２２  利用部識別子生成部、  １２３  ＤＣ要求部、  １２４  試行利用部、  １２５  申込み情報送信部、  １２６  復号化部、１２７  識別子取出し部、  １２８  認証部、  １３０  形態利用部、  １５０，１５０ａ，１５０ｂ，７８０  記憶装置ＨＤＤ、  １５３  購入申込み情報、  １５５  要求情報、  １６０  宣伝情報送信部、  １６２  現利用情報送信部、  １７０  現利用情報、  ２００  ネットワーク、  ２０５，２１０，２１５  ノード、  ３００  データセンタ、  ３１０  ＤＣ記録部、  ３１０ａ  電子書籍ＤＢ、  ３１０ｂ  顧客情報ＤＢ、  ３１０ｃ  ダウンロード・課金情報ＤＢ、  ３１０ｄ  販売店ＤＢ、  ３２０，３２０ｅｎｃ  ＤＣ、  ３３０，３３０ｅｍｂ  ＤＣ識別子、  ３３２  ＤＣの識別名、  ３３５，３３５ｅｍｂ  販売店識別子、  ３３７  販売店の識別名、  ３４０  鍵情報、  ３５０  サーバ、  ３５０ａ  アプリケーション・サーバ、  ３５０ｂ  ウェブ・サーバ、  ３５０ｃ  データベース・サーバ、  ３５３  ＤＣ識別子生成部、  ３５４  販売店識別子生成部、  ３５５  識別子取得部、  ３５６  暗号化部、  ３５７  識別子埋め込み部、  ３５８  ＤＣ配信部、  ３６２  購入処理部、  ３７０  ＤＣ識別子記録部、  ３７２  販売店識別子記録部、  ３９０  独自情報生成部、  ３９２  独自情報配信部、  ４００  販売店独自情報記録部、  ４００ａ，４００ｂ  独自情報、  ４１０  送信日付、  ４５０，４５０ａ，４５０ｂ，４６０，４６０ａ，４６０ｂ  宣伝データ名、  ４５５，４５５ａ，４５５ｂ，４６５，４６５ａ，４６５ｂ  宣伝データ、  ４８０，４８３，４８５，４８７，４８９  表示、  ７００  販売店側サーバ、  ７０５  販売店のシステム、  ７１５  ウェブ・アプリケーション、  ７２０  宣伝情報送信部、  ７４０  ウェブ・サイト、  ７８０  宣伝情報記録部、  ７９０，７９０ａ，７９０ｂ  宣伝情報、  ７９５  情報。
【図１】
0003634827.tif 000002
【図２】
0003634827.tif 000003
【図３】
0003634827.tif 000004
【図４】
0003634827.tif 000005
【図５】
0003634827.tif 000006
【図６】
0003634827.tif 000007
【図７】
0003634827.tif 000008
【図８】
0003634827.tif 000009
【図９】
0003634827.tif 000010
【図１０】
0003634827.tif 000011